(57)【要約】  冷凍サイクル装置は、複数の負荷側熱交換器を有する冷凍サイクル回路と、複数の負荷側熱交換器をそれぞれ収容する複数の室内機と、複数の室内機を制御する制御部と、を備え、複数の室内機のそれぞれは、送風ファンを有しており、複数の室内機のうち少なくとも１つは、冷媒検知手段を備えており、制御部は、複数の室内機を１つ又は複数のグループに設定するように構成されており、制御部は、複数の室内機のいずれかが備える冷媒検知手段で冷媒を検知した場合、冷媒を検知した冷媒検知手段を備える室内機と同じグループに属する全ての室内機が有する送風ファンを運転させるように構成されている。
2017163321.tif 000002
【特許請求の範囲】
【請求項１】
複数の負荷側熱交換器を有する冷凍サイクル回路と、
前記複数の負荷側熱交換器をそれぞれ収容する複数の室内機と、
前記複数の室内機を制御する制御部と、を備え、
前記複数の室内機のそれぞれは、送風ファンを有しており、
前記複数の室内機のうち少なくとも１つは、冷媒検知手段を備えており、
前記制御部は、前記複数の室内機を１つ又は複数のグループに設定するように構成されており、
前記制御部は、前記複数の室内機のいずれかが備える前記冷媒検知手段で冷媒を検知した場合、冷媒を検知した前記冷媒検知手段を備える室内機と同じグループに属する全ての室内機が有する前記送風ファンを運転させるように構成されている冷凍サイクル装置。
【請求項２】
少なくとも１つの負荷側熱交換器をそれぞれ有する複数の冷凍サイクル回路と、
前記複数の冷凍サイクル回路の前記負荷側熱交換器をそれぞれ収容する複数の室内機と、
前記複数の室内機を制御する制御部と、を備え、
前記複数の室内機のそれぞれは、送風ファンを有しており、
前記複数の室内機のうち少なくとも１つは、冷媒検知手段を備えており、
前記制御部は、前記複数の室内機を１つ又は複数のグループに設定するように構成されており、
前記制御部は、前記複数の室内機のいずれかが備える前記冷媒検知手段で冷媒を検知した場合、冷媒を検知した前記冷媒検知手段を備える室内機と同じグループに属する全ての室内機が有する前記送風ファンを運転させるように構成されている冷凍サイクル装置。
【請求項３】
前記複数の室内機を前記１つ又は複数のグループに設定する操作が行われる操作部をさらに備える請求項１又は請求項２に記載の冷凍サイクル装置。
【請求項４】
前記制御部は、前記複数の室内機をそれぞれ制御する複数の室内機制御部を有しており、
前記複数の室内機制御部のうち少なくとも１つは、前記冷媒検知手段が着脱不能に接続される制御基板と、前記制御基板に備えられた不揮発性メモリと、を有しており、
前記不揮発性メモリには、冷媒漏洩履歴のない状態を表す第１の情報と、冷媒漏洩履歴のある状態を表す第２の情報と、のいずれか一方を記憶する漏洩履歴記憶領域が設けられており、
前記漏洩履歴記憶領域に記憶される情報は、前記第１の情報から前記第２の情報への一方向にのみ変更可能であり、
前記制御部は、前記複数の室内機制御部のうち少なくとも１つが備える前記冷媒検知手段で冷媒を検知したときに、冷媒を検知した前記室内機制御部の前記漏洩履歴記憶領域に記憶される情報を前記第１の情報から前記第２の情報に変更するように構成されている請求項１〜請求項３のいずれか一項に記載の冷凍サイクル装置。
【請求項５】
前記制御部は、前記複数の室内機制御部のうち少なくとも１つの前記漏洩履歴記憶領域に記憶される情報が前記第１の情報から前記第２の情報に変更されたときに、当該漏洩履歴記憶領域に対応する室内機と同じグループに属する全ての室内機が有する前記送風ファンを運転させるように構成されている請求項４に記載の冷凍サイクル装置。
【発明の詳細な説明】
【技術分野】
【０００１】
本発明は、複数の室内機を備えた冷凍サイクル装置に関するものである。
【背景技術】
【０００２】
特許文献１には、空気調和装置が記載されている。この空気調和装置は、室内機の外表面に設けられて冷媒を検知するガスセンサと、ガスセンサが冷媒を検知したときに室内送風ファンを回転させる制御を行う制御部と、を備えている。この空気調和装置では、室内機につながる延長配管から室内へ冷媒が漏洩した場合や、室内機内部で漏洩した冷媒が室内機の筐体の隙間を通して室内機の外部へ流出した場合に、漏洩冷媒をガスセンサによって検知できる。また、冷媒の漏洩を検知したときに室内送風ファンを回転させることにより、室内機の筐体に設けられた吸込口から室内の空気を吸い込み、吹出口から室内へ空気を吹き出すので、漏洩した冷媒を拡散させることができる。
【先行技術文献】
【特許文献】
【０００３】
【特許文献１】特許第４５９９６９９号公報
【発明の概要】
【発明が解決しようとする課題】
【０００４】
特許文献１の空気調和装置では、室内機で冷媒の漏洩が生じた場合、当該室内機の室内送風ファンが回転する。このため、比較的大きい床面積を有する１つの室内空間に複数台の室内機が設置されている場合には、１台の室内送風ファンだけでは室内空間の床面積に対して十分な風量が得られず、漏洩した冷媒を室内空間に拡散させて希釈することができない可能性がある。したがって、室内空間の冷媒濃度が局所的に高くなってしまうおそれがあるという課題があった。【０００５】
一方で、空気調和装置の複数台の室内機は、壁又は仕切りで互いに仕切られた複数の室内空間に分かれて設置される場合もある。この場合、冷媒の漏洩が生じた室内機が設置された室内空間とは別の室内空間に設置された室内機の室内送風ファンまでを回転させてしまうと、漏洩した冷媒の拡散に寄与しない室内送風ファンを回転させることになる。したがって、不要な電力が消費されてしまうという課題があった。【０００６】
本発明は、上述のような課題の少なくとも１つを解決するためになされたものであり、万一、冷媒が漏洩したとしても、室内空間の冷媒濃度が局所的に高くなってしまうのを抑制でき、かつ不要な電力が消費されるのを防止できる冷凍サイクル装置を提供することを目的とする。
【課題を解決するための手段】
【０００７】
本発明に係る冷凍サイクル装置は、複数の負荷側熱交換器を有する冷凍サイクル回路と、前記複数の負荷側熱交換器をそれぞれ収容する複数の室内機と、前記複数の室内機を制御する制御部と、を備え、前記複数の室内機のそれぞれは、送風ファンを有しており、前記複数の室内機のうち少なくとも１つは、冷媒検知手段を備えており、前記制御部は、前記複数の室内機を１つ又は複数のグループに設定するように構成されており、前記制御部は、前記複数の室内機のいずれかが備える前記冷媒検知手段で冷媒を検知した場合、冷媒を検知した前記冷媒検知手段を備える室内機と同じグループに属する全ての室内機が有する前記送風ファンを運転させるように構成されているものである。
【発明の効果】
【０００８】
本発明によれば、万一、冷媒が漏洩したとしても、室内空間の冷媒濃度が局所的に高くなってしまうのを抑制でき、かつ不要な電力が消費されるのを防止できる。
【図面の簡単な説明】
【０００９】
【図１】本発明の実施の形態１に係る空気調和装置の概略構成を示す冷媒回路図である。
【図２】本発明の実施の形態１に係る空気調和装置における室内機１Ａ、１Ｂ、１Ｃの設置状態の一例を示す図である。
【図３】本発明の実施の形態１に係る空気調和装置における室内機１Ａ、１Ｂ、１Ｃの設置状態の別の例を示す図である。
【図４】本発明の実施の形態１に係る空気調和装置における室内機１Ａ、１Ｂ、１Ｃの設置状態のさらに別の例を示す図である。
【図５】本発明の実施の形態１に係る空気調和装置の制御部３０の構成を示すブロック図である。
【図６】本発明の実施の形態１の変形例１に係る空気調和装置の概略構成を示す冷媒回路図である。
【図７】本発明の実施の形態１の変形例２に係る空気調和装置の概略構成を示す冷媒回路図である。
【図８】本発明の実施の形態１の変形例３に係る空気調和装置の概略構成を示す冷媒回路図である。
【図９】本発明の実施の形態１の変形例４に係る空気調和装置の概略構成を示す冷媒回路図である。
【図１０】本発明の実施の形態１の変形例５に係る空気調和装置の概略構成を示す冷媒回路図である。
【図１１】本発明の実施の形態１の変形例５に係る空気調和装置の制御部３０の構成を示すブロック図である。
【図１２】本発明の実施の形態１の変形例６に係る空気調和装置の概略構成を示す冷媒回路図である。
【図１３】本発明の実施の形態１の変形例６に係る空気調和装置の制御部３０の構成を示すブロック図である。
【図１４】本発明の実施の形態１の変形例７に係る空気調和装置の概略構成を示す冷媒回路図である。
【図１５】本発明の実施の形態１の変形例７に係る空気調和装置における室内機１Ａ、１Ｂ、１Ｃの設置状態の一例を示す図である。
【発明を実施するための形態】
【００１０】
実施の形態１．
本発明の実施の形態１に係る冷凍サイクル装置について説明する。本実施の形態では、冷凍サイクル装置として、複数台の室内機を備えたマルチ型の空気調和装置を例示している。図１は、本実施の形態に係る空気調和装置の概略構成を示す冷媒回路図である。図１に示すように、空気調和装置は、冷媒を循環させる冷凍サイクル回路１０を有している。冷凍サイクル回路１０は、例えば、圧縮機３、冷媒流路切替手段４、熱源側熱交換器５、複数の減圧手段６Ａ、６Ｂ、６Ｃ、及び複数の負荷側熱交換器７Ａ、７Ｂ、７Ｃが冷媒配管を介して環状に接続された構成を有している。減圧手段６Ａ及び負荷側熱交換器７Ａの組と、減圧手段６Ｂ及び負荷側熱交換器７Ｂの組と、減圧手段６Ｃ及び負荷側熱交換器７Ｃの組とは、冷凍サイクル回路１０において互いに並列に接続されている。また、空気調和装置は、熱源ユニットとして、例えば室外に設置される室外機２を有している。さらに、空気調和装置は、負荷ユニットとして、例えば室内に設置される複数台の室内機１Ａ、１Ｂ、１Ｃを有している。室外機２と室内機１Ａ、１Ｂ、１Ｃとの間は、冷媒配管の一部である延長配管を介して接続されている。
【００１１】
冷凍サイクル回路１０を循環する冷媒としては、例えば、ＨＦＯ−１２３４ｙｆ、ＨＦＯ−１２３４ｚｅ等の微燃性冷媒、又は、Ｒ２９０、Ｒ１２７０等の強燃性冷媒が用いられる。これらの冷媒は単一冷媒として用いられてもよいし、２種以上が混合された混合冷媒として用いられてもよい。以下、微燃レベル以上（例えば、ＡＳＨＲＡＥ３４の分類で２Ｌ以上）の燃焼性を有する冷媒のことを「可燃性冷媒」という場合がある。また、冷凍サイクル回路１０を循環する冷媒としては、不燃性（例えば、ＡＳＨＲＡＥ３４の分類で１）を有するＲ２２、Ｒ４１０Ａ等の不燃性冷媒を用いることもできる。これらの冷媒は、大気圧下（例えば、温度は室温（２５℃））において空気よりも大きい密度を有している。
【００１２】
室外機２には、少なくとも熱源側熱交換器５が収容されている。本例では、圧縮機３及び冷媒流路切替手段４も室外機２に収容されている。また、室外機２には、熱源側熱交換器５に室外空気を供給する室外送風ファン８が収容されている。室外送風ファン８は、熱源側熱交換器５に対向して設置されている。室外送風ファン８を回転させることで、熱源側熱交換器５を通過する空気流が生成される。室外送風ファン８としては、例えばプロペラファンが用いられている。室外送風ファン８は、当該室外送風ファン８が生成する空気流において、例えば熱源側熱交換器５の下流側に配置されている。
【００１３】
圧縮機３は、吸入した低圧冷媒を圧縮し、高圧冷媒として吐出する流体機械である。冷媒流路切替手段４は、冷房運転時と暖房運転時とで冷凍サイクル回路１０内の冷媒の流れ方向を切り替えるものである。冷媒流路切替手段４としては、例えば四方弁又は複数の二方弁が用いられる。熱源側熱交換器５は、冷房運転時には放熱器（例えば、凝縮器）として機能し、暖房運転時には蒸発器として機能する熱交換器である。熱源側熱交換器５では、内部を流通する冷媒と、室外送風ファン８により送風される室外空気との熱交換が行われる。
【００１４】
室内機１Ａには、少なくとも負荷側熱交換器７Ａが収容されている。本例では、減圧手段６Ａも室内機１Ａに収容されている。また、室内機１Ａには、負荷側熱交換器７Ａに空気を供給する室内送風ファン９Ａが収容されている。室内機１Ａの筐体には、室内空間の空気を吸い込む吸込口と、室内空間に空気を吹き出す吹出口と、が形成されている。室内送風ファン９Ａを回転させることで、室内空間の空気が吸込口から吸い込まれる。吸い込まれた空気は、負荷側熱交換器７Ａを通過して吹出口から室内空間に吹き出される。室内送風ファン９Ａとしては、室内機１Ａの形態によって、遠心ファン（例えば、シロッコファン、ターボファン等）、クロスフローファン、斜流ファン、軸流ファン（例えば、プロペラファン）などが用いられる。本例の室内送風ファン９Ａは、当該室内送風ファン９Ａが生成する空気流において負荷側熱交換器７Ａの上流側に配置されている。室内送風ファン９Ａは、負荷側熱交換器７Ａの下流側に配置されていてもよい。
【００１５】
減圧手段６Ａは、高圧冷媒を減圧して低圧冷媒とするものである。減圧手段６Ａとしては、例えば、後述する制御部３０の制御により開度を調節可能な電子膨張弁などが用いられる。また、減圧手段６Ａとしては、温度式膨張弁、固定絞り、膨張機などが用いられてもよい。
【００１６】
負荷側熱交換器７Ａは、冷房運転時には蒸発器として機能し、暖房運転時には放熱器（例えば、凝縮器）として機能する熱交換器である。負荷側熱交換器７Ａでは、内部を流通する冷媒と、室内送風ファン９Ａにより送風される空気との熱交換が行われる。
【００１７】
また、室内機１Ａには、冷媒の漏洩を検知する冷媒検知手段９９Ａが設けられている。冷媒検知手段９９Ａは、例えば室内機１Ａの筐体内部に配置されている。冷媒検知手段９９Ａとしては、例えば、半導体式ガスセンサ、熱線型半導体式ガスセンサ等のガスセンサが用いられる。冷媒検知手段９９Ａは、例えば、当該冷媒検知手段９９Ａの周囲の空気中における冷媒濃度を検知し、検知信号を後述する制御部３０に出力する。制御部３０では、冷媒検知手段９９Ａからの検知信号に基づき、室内機１Ａでの冷媒の漏洩の有無が判定される。また、冷媒検知手段９９Ａとしては、酸素濃度計が用いられてもよいし、温度センサ（例えば、サーミスタ）が用いられてもよい。冷媒検知手段９９Ａとして温度センサが用いられる場合、冷媒検知手段９９Ａは、漏洩した冷媒の断熱膨張による温度の低下を検知することによって冷媒の漏洩を検知する。
【００１８】
室内機１Ａにおいて冷媒が漏洩する可能性がある箇所は、負荷側熱交換器７Ａのろう付け部及び冷媒配管の継手部である。また、本実施の形態で用いられる冷媒は、大気圧下において空気よりも大きい密度を有している。このため、室内機１Ａで冷媒が漏洩すると、冷媒は室内機１Ａの筐体内を下方に向かって流れる。したがって、冷媒検知手段９９Ａは、室内機１Ａの筐体内において負荷側熱交換器７Ａ及び継手部よりも高さが低い位置（例えば、筐体内の下部）に設けられるのが望ましい。これにより、冷媒検知手段９９Ａでは、少なくとも室内送風ファン９Ａの停止時において冷媒の漏洩を確実に検知することができる。
【００１９】
室内機１Ａとしては、例えば、床置形、天井カセット形、天井埋込形、天吊形又は壁掛形等の室内機が用いられる。
【００２０】
室内機１Ｂ、１Ｃは、例えば室内機１Ａと同様の構成を有している。すなわち、室内機１Ｂ、１Ｃには、室内機１Ａと同様に、減圧手段６Ｂ、６Ｃ、負荷側熱交換器７Ｂ、７Ｃ及び室内送風ファン９Ｂ、９Ｃがそれぞれ収容されている。また、室内機１Ｂ、１Ｃには、室内機１Ａと同様に、冷媒検知手段９９Ｂ、９９Ｃがそれぞれ設けられている。
【００２１】
制御部３０（図１では図示せず）は、ＣＰＵ、ＲＯＭ、ＲＡＭ、Ｉ／Ｏポート等を備えたマイクロコンピュータ（以下、「マイコン」という場合がある。）を有している。本例の制御部３０は、ユーザの操作を受け付ける操作部（例えば、リモコン）からの操作信号やセンサ類からの検出信号等に基づき、室内機１Ａ、１Ｂ、１Ｃを含む空気調和装置全体の動作を制御する。後述するように、本例の制御部３０は、室外機２に設けられた室外機制御部と、室内機１Ａ、１Ｂ、１Ｃにそれぞれ設けられ、室外機制御部と通信可能な複数の室内機制御部と、を有している。室外機制御部は、主に室外機２の動作を制御するものである。室内機制御部は、主に室内機１Ａ、１Ｂ、１Ｃのそれぞれの動作を制御するものである。
【００２２】
空気調和装置の冷凍サイクル回路１０の動作について説明する。まず、冷房運転時の動作について説明する。図１では、冷房運転時の冷媒の流れ方向を実線矢印で示している。冷房運転では、冷媒流路切替手段４によって冷媒流路が図１中の実線で示すように切り替えられ、負荷側熱交換器７Ａ、７Ｂ、７Ｃに低温低圧の冷媒が流れるように冷凍サイクル回路１０が構成される。
【００２３】
圧縮機３から吐出された高温高圧のガス冷媒は、冷媒流路切替手段４を経由して熱源側熱交換器５に流入する。冷房運転では、熱源側熱交換器５は凝縮器として機能する。すなわち、熱源側熱交換器５では、内部を流通する冷媒と、室外送風ファン８により供給される室外空気との熱交換が行われ、冷媒の凝縮熱が室外空気に放熱される。これにより、熱源側熱交換器５に流入した冷媒は、凝縮して高圧の液冷媒となる。熱源側熱交換器５から流出した高圧の液冷媒は、延長配管を経由して室内機１Ａ、１Ｂ、１Ｃの減圧手段６Ａ、６Ｂ、６Ｃに流入し、減圧されて低圧の二相冷媒となる。減圧手段６Ａ、６Ｂ、６Ｃから流出した低圧の二相冷媒は、負荷側熱交換器７Ａ、７Ｂ、７Ｃに流入する。冷房運転では、負荷側熱交換器７Ａ、７Ｂ、７Ｃは蒸発器として機能する。すなわち、負荷側熱交換器７Ａ、７Ｂ、７Ｃでは、内部を流通する冷媒と、室内送風ファン９Ａ、９Ｂ、９Ｃにより供給される空気（例えば、室内空気）との熱交換が行われ、冷媒の蒸発熱が空気から吸熱される。これにより、負荷側熱交換器７Ａ、７Ｂ、７Ｃに流入した冷媒は、蒸発して低圧のガス冷媒又は高乾き度の二相冷媒となる。また、室内送風ファン９Ａ、９Ｂ、９Ｃにより供給される空気は、冷媒の吸熱作用によって冷却される。負荷側熱交換器７Ａ、７Ｂ、７Ｃから流出した低圧のガス冷媒又は高乾き度の二相冷媒は、延長配管及び冷媒流路切替手段４を経由して圧縮機３に吸入される。圧縮機３に吸入された冷媒は、圧縮されて高温高圧のガス冷媒となる。冷房運転では、以上のサイクルが繰り返される。
【００２４】
次に、暖房運転時の動作について説明する。図１では、暖房運転時の冷媒の流れ方向を点線矢印で示している。暖房運転では、冷媒流路切替手段４によって冷媒流路が図１中の点線で示すように切り替えられ、負荷側熱交換器７Ａ、７Ｂ、７Ｃに高温高圧の冷媒が流れるように冷凍サイクル回路１０が構成される。
【００２５】
圧縮機３から吐出された高温高圧のガス冷媒は、冷媒流路切替手段４及び延長配管を経由して室内機１Ａ、１Ｂ、１Ｃの負荷側熱交換器７Ａ、７Ｂ、７Ｃに流入する。暖房運転時には、負荷側熱交換器７Ａ、７Ｂ、７Ｃは凝縮器として機能する。すなわち、負荷側熱交換器７Ａ、７Ｂ、７Ｃでは、内部を流通する冷媒と、室内送風ファン９Ａ、９Ｂ、９Ｃにより供給される空気との熱交換が行われ、冷媒の凝縮熱が空気に放熱される。これにより、負荷側熱交換器７Ａ、７Ｂ、７Ｃに流入した冷媒は、凝縮して高圧の液冷媒となる。負荷側熱交換器７Ａ、７Ｂ、７Ｃで凝縮した高圧の液冷媒は、減圧手段６Ａ、６Ｂ、６Ｃに流入し、減圧されて低圧の二相冷媒となる。減圧手段６Ａ、６Ｂ、６Ｃから流出した低圧の二相冷媒は、延長配管を経由して室外機２の熱源側熱交換器５に流入する。暖房運転では、熱源側熱交換器５は蒸発器として機能する。すなわち、熱源側熱交換器５では、内部を流通する冷媒と、室外送風ファン８により供給される室外空気との熱交換が行われ、冷媒の蒸発熱が室外空気から吸熱される。これにより、熱源側熱交換器５に流入した冷媒は、蒸発して低圧のガス冷媒又は高乾き度の二相冷媒となる。熱源側熱交換器５から流出した低圧のガス冷媒又は高乾き度の二相冷媒は、冷媒流路切替手段４を経由して圧縮機３に吸入される。圧縮機３に吸入された冷媒は、圧縮されて高温高圧のガス冷媒となる。暖房運転では、以上のサイクルが繰り返される。
【００２６】
本実施の形態の空気調和装置は、例えば全ての室内機１Ａ、１Ｂ、１Ｃが互いに独立した運転モードで動作する、いわゆる個別運転マルチ型の空気調和装置である。冷房運転時には、室内機１Ａ、１Ｂ、１Ｃのそれぞれは、互いに独立して、冷房運転を行うか又は停止する。暖房運転時には、室内機１Ａ、１Ｂ、１Ｃのそれぞれは、互いに独立して、暖房運転を行うか又は停止する。すなわち、個別運転マルチ型の空気調和装置では、室内機１Ａ、１Ｂ、１Ｃのうちの一部の室内機のみを運転させることが可能である。図１に示した構成では、室内機１Ａ、１Ｂ、１Ｃで冷房運転と暖房運転とを混在させることはできないが、冷凍サイクル回路１０の構成によっては室内機１Ａ、１Ｂ、１Ｃで冷房運転と暖房運転とを混在させることも可能である。
【００２７】
図２は、本実施の形態に係る空気調和装置における室内機１Ａ、１Ｂ、１Ｃの設置状態の一例を示す図である。図３は、本実施の形態に係る空気調和装置における室内機１Ａ、１Ｂ、１Ｃの設置状態の別の例を示す図である。図４は、本実施の形態に係る空気調和装置における室内機１Ａ、１Ｂ、１Ｃの設置状態のさらに別の例を示す図である。なお、図２〜図４では、床置形の室内機１Ａ、１Ｂ、１Ｃを例示しているが、室内機１Ａ、１Ｂ、１Ｃは天井カセット形、天井埋込形、天吊形又は壁掛形であってもよい。
【００２８】
個別運転マルチ型の空気調和装置の場合、図２に示すように、壁又は仕切りによって互いに仕切られた複数の室内空間ａ、ｂ、ｃに、それぞれ室内機１Ａ、１Ｂ、１Ｃが１台ずつ設置されるのが一般的である。ただし、個別運転マルチ型の空気調和装置であっても、複数台の室内機を仕切りのない１つの室内空間に設置することもできる。図３に示す例では、室内機１Ａ、１Ｂが１つの室内空間ａに設置され、室内機１Ｃが室内空間ａから仕切られた室内空間ｂに設置されている。図４に示す例では、全ての室内機１Ａ、１Ｂ、１Ｃが１つの室内空間ａに設置されている。
【００２９】
図５は、本実施の形態に係る空気調和装置の制御部３０の構成を示すブロック図である。図５に示すように、本実施の形態では、室内機１Ａに対するユーザの操作を受け付けるリモコン２０Ａと、室内機１Ｂに対するユーザの操作を受け付けるリモコン２０Ｂと、室内機１Ｃに対するユーザの操作を受け付けるリモコン２０Ｃと、が操作部として設けられている。
【００３０】
制御部３０は、室内機１Ａに搭載されて室内機１Ａを制御する室内機制御部３１Ａと、室内機１Ｂに搭載されて室内機１Ｂを制御する室内機制御部３１Ｂと、室内機１Ｃに搭載されて室内機１Ｃを制御する室内機制御部３１Ｃと、室外機２に搭載されて室外機２を制御する室外機制御部３２と、リモコン２０Ａに搭載されてリモコン２０Ａを制御するリモコン制御部３３Ａと、リモコン２０Ｂに搭載されてリモコン２０Ｂを制御するリモコン制御部３３Ｂと、リモコン２０Ｃに搭載されてリモコン２０Ｃを制御するリモコン制御部３３Ｃと、を有している。
【００３１】
室内機制御部３１Ａは、制御基板４０Ａと、制御線を介して制御基板４０Ａと通信可能な制御基板４１Ａと、を有している。室内機制御部３１Ａは、室内機制御部３１Ｂ、室内機制御部３１Ｃ、室外機制御部３２及びリモコン制御部３３Ａ、３３Ｂ、３３Ｃと制御線を介して通信可能な構成となっている。制御基板４０Ａには、主に室内機１Ａの動作を制御するマイコン５０Ａが実装されている。制御基板４１Ａには、冷媒検知手段９９Ａ（例えば、熱線型半導体式ガスセンサ）と、主に冷媒検知手段９９Ａを制御するマイコン５１Ａとが、それぞれ着脱不能に実装されている。本例の冷媒検知手段９９Ａは制御基板４１Ａに直接実装されているが、冷媒検知手段９９Ａは、制御基板４１Ａに着脱不能に接続されていればよい。例えば、冷媒検知手段９９Ａを制御基板４１Ａから離れた位置に設け、冷媒検知手段９９Ａからの配線をはんだ付け等により制御基板４１Ａに接続するようにしてもよい。また、本例では制御基板４１Ａが制御基板４０Ａとは別に設けられているが、制御基板４１Ａを省略し、冷媒検知手段９９Ａを制御基板４０Ａに着脱不能に接続するようにしてもよい。
【００３２】
室内機制御部３１Ｂ、３１Ｃは、室内機制御部３１Ａと同様の構成を有している。すなわち、室内機制御部３１Ｂ、３１Ｃは、マイコン５０Ｂ、５０Ｃが実装された制御基板４０Ｂ、４０Ｃと、マイコン５１Ｂ、５１Ｃ及び冷媒検知手段９９Ｂ、９９Ｃが実装された制御基板４１Ｂ、４１Ｃと、をそれぞれ有している。
【００３３】
室外機制御部３２は、制御基板４２を有している。制御基板４２には、主に室外機２の動作を制御するマイコン５２が実装されている。
【００３４】
リモコン制御部３３Ａは、制御基板４３Ａを有している。制御基板４３Ａには、主にリモコン２０Ａを制御するマイコン５３Ａが実装されている。
【００３５】
リモコン制御部３３Ｂ、３３Ｃは、リモコン制御部３３Ａと同様の構成を有している。すなわち、リモコン制御部３３Ｂ、３３Ｃは、マイコン５３Ｂ、５３Ｃが実装された制御基板４３Ｂ、４３Ｃをそれぞれ有している。
【００３６】
室内機制御部３１Ａ、３１Ｂ、３１Ｃ、室外機制御部３２及びリモコン制御部３３Ａ、３３Ｂ、３３Ｃは、互いに通信可能となっている。本例では、室内機制御部３１Ａは、室外機制御部３２及びリモコン制御部３３Ａのそれぞれと制御線を介して接続されている。室内機制御部３１Ａ、３１Ｂ、３１Ｃは、制御線を介してバス型に接続されている。室内機制御部３１Ｂ、３１Ｃは、制御線を介してリモコン制御部３３Ｂ、３３Ｃとそれぞれ接続されている。
【００３７】
マイコン５１Ａ、５１Ｂ、５１Ｃは、書換え可能な不揮発性メモリ（例えば、フラッシュメモリ）を有している。この不揮発性メモリには、冷媒漏洩の履歴を記憶する漏洩履歴ビット（漏洩履歴記憶領域の一例）が設けられている。マイコン５１Ａ、５１Ｂ、５１Ｃの漏洩履歴ビットは「０」又は「１」に設定可能である。この漏洩履歴ビットの初期値は「０」である。すなわち、新品状態のマイコン５１Ａ、５１Ｂ、５１Ｃや、冷媒漏洩履歴のないマイコン５１Ａ、５１Ｂ、５１Ｃの場合、漏洩履歴ビットは「０」に設定されている。
【００３８】
マイコン５１Ａの漏洩履歴ビットは、冷媒検知手段９９Ａで冷媒の漏洩を検知した場合（例えば、冷媒検知手段９９Ａで検知された冷媒の濃度が閾値濃度以上である場合）に、「０」から「１」に書き換えられる。同様に、マイコン５１Ｂ、５１Ｃの漏洩履歴ビットは、冷媒検知手段９９Ｂ、９９Ｃで冷媒の漏洩を検知した場合に、それぞれ「０」から「１」に書き換えられる。マイコン５１Ａ、５１Ｂ、５１Ｃの漏洩履歴ビットは、いずれも「０」から「１」への一方向にのみ不可逆に書換え可能である。また、マイコン５１Ａ、５１Ｂ、５１Ｃの漏洩履歴ビットは、当該マイコン５１Ａ、５１Ｂ、５１Ｃへの電力供給の有無に関わらず維持される。
【００３９】
また、マイコン５０Ａ、５０Ｂ、５０Ｃ、５２、５３Ａ、５３Ｂ、５３Ｃのそれぞれのメモリ（不揮発性メモリ又は揮発性メモリ）には、マイコン５１Ａの漏洩履歴ビットに対応する第１漏洩履歴ビットと、マイコン５１Ｂの漏洩履歴ビットに対応する第２漏洩履歴ビットと、マイコン５１Ｃの漏洩履歴ビットに対応する第３漏洩履歴ビットと、が設けられている。マイコン５０Ａ、５０Ｂ、５０Ｃ、５２、５３Ａ、５３Ｂ、５３Ｃのそれぞれの第１〜第３漏洩履歴ビットは、「０」又は「１」に設定可能である。マイコン５０Ａ、５０Ｂ、５０Ｃ、５２、５３Ａ、５３Ｂ、５３Ｃのそれぞれの第１〜第３漏洩履歴ビットは、「０」及び「１」の間で双方向に書換え可能である。マイコン５０Ａ、５０Ｂ、５０Ｃ、５２、５３Ａ、５３Ｂ、５３Ｃのそれぞれの第１漏洩履歴ビットの値は、通信により取得されるマイコン５１Ａの漏洩履歴ビットと同じ値に設定される。マイコン５０Ａ、５０Ｂ、５０Ｃ、５２、５３Ａ、５３Ｂ、５３Ｃのそれぞれの第２漏洩履歴ビットの値は、通信により取得されるマイコン５１Ｂの漏洩履歴ビットと同じ値に設定される。マイコン５０Ａ、５０Ｂ、５０Ｃ、５２、５３Ａ、５３Ｂ、５３Ｃのそれぞれの第３漏洩履歴ビットの値は、通信により取得されるマイコン５１Ｃの漏洩履歴ビットと同じ値に設定される。マイコン５０Ａ、５０Ｂ、５０Ｃ、５２、５３Ａ、５３Ｂ、５３Ｃの第１〜第３漏洩履歴ビットは、電力供給が遮断されて初期値（例えば「０」）に戻ったとしても、電力供給が再開されると再びマイコン５１Ａ、５１Ｂ、５１Ｃの漏洩履歴ビットと同じ値に設定される。
【００４０】
また、制御部３０は、複数台の室内機１Ａ、１Ｂ、１Ｃを１つ又は複数のグループに設定するようになっている。１つ又は複数のグループは例えば室内空間毎に作成され、同一の室内空間に設置されている室内機は同一のグループに設定される。例えば、図２に示すように、室内機１Ａが室内空間ａに設置され、室内機１Ｂが室内空間ｂに設置され、室内機１Ｃが室内空間ｃに設置されている場合、制御部３０は、室内機１ＡをグループＡに設定し、室内機１ＢをグループＢに設定し、室内機１ＣをグループＣに設定する。図３に示すように、室内機１Ａ、１Ｂが室内空間ａに設置され、室内機１Ｃが室内空間ｂに設置されている場合、制御部３０は、室内機１Ａ、１ＢをグループＡに設定し、室内機１ＣをグループＢに設定する。図４に示すように、全ての室内機１Ａ、１Ｂ、１Ｃが１つの室内空間ａに設置されている場合、制御部３０は、全ての室内機１Ａ、１Ｂ、１Ｃを１つのグループＡに設定する。
【００４１】
グループの設定操作は、例えば、ユーザ又は空気調和装置の設置作業者等によるリモコン２０Ａ、２０Ｂ、２０Ｃの特殊操作等によって行われる。設定されたグループの情報は、第１〜第３漏洩履歴ビットと対応づけられて各室内機制御部３１Ａ、３１Ｂ、３１Ｃのマイコン等に記憶される。あるいは、室内機制御部３１Ａ、３１Ｂ、３１Ｃの各制御基板、又はリモコン制御部３３Ａ、３３Ｂ、３３Ｃの各制御基板に、グループ設定専用の操作部としてディップスイッチが設けられていてもよい。
【００４２】
例えば、図３に示すように室内機１Ａ、１ＢがグループＡに設定され、室内機１ＣがグループＢに設定されているものとする。この場合、室内機１Ａの室内機制御部３１Ａは、第２漏洩履歴ビットに対応する室内機１Ｂが室内機１Ａと同じグループに属し、第３漏洩履歴ビットに対応する室内機１Ｃが室内機１Ａと異なる別のグループに属することを認識する。室内機１Ｂの室内機制御部３１Ｂは、第１漏洩履歴ビットに対応する室内機１Ａが室内機１Ｂと同じグループに属し、第３漏洩履歴ビットに対応する室内機１Ｃが室内機１Ｂと異なる別のグループに属することを認識する。室内機１Ｃの室内機制御部３１Ｃは、第１漏洩履歴ビットに対応する室内機１Ａと第２漏洩履歴ビットに対応する室内機１Ｂとが、いずれも室内機１Ｃと異なる別のグループに属することを認識する。
【００４３】
室内機制御部３１Ａは、マイコン５０Ａの第１及び第２漏洩履歴ビット（すなわち、グループＡに属する室内機１Ａ、１Ｂに対応する漏洩履歴ビット）がいずれも「０」に設定されているときには、第３漏洩履歴ビット（すなわち、グループＡ以外に属する室内機１Ｃに対応する漏洩履歴ビット）の値に関わらず、室内機１Ａの通常制御を行う。この状態の室内機１Ａは、リモコン２０Ａ等の操作に基づき通常の運転動作及び停止動作を行う。一方、マイコン５０Ａの第１及び第２漏洩履歴ビットのいずれかが「１」に設定されると、室内機制御部３１Ａは、第３漏洩履歴ビットの値に関わらず、室内送風ファン９Ａを強制運転させる制御を行う。すなわち、室内機１Ａが運転中であれば室内送風ファン９Ａの運転が継続され、室内機１Ａが停止中であれば室内送風ファン９Ａの運転が開始される。室内送風ファン９Ａの運転は、例えば、マイコン５０Ａの第１及び第２漏洩履歴ビットのいずれかが「１」に設定され続ける限り継続される。
【００４４】
室内機制御部３１Ｂは、マイコン５０Ｂの第１及び第２漏洩履歴ビットがいずれも「０」に設定されているときには、第３漏洩履歴ビットの値に関わらず、室内機１Ｂの通常制御を行う。この状態の室内機１Ｂは、リモコン２０Ｂ等の操作に基づき通常の運転動作及び停止動作を行う。一方、マイコン５０Ｂの第１及び第２漏洩履歴ビットのいずれかが「１」に設定されると、室内機制御部３１Ｂは、第３漏洩履歴ビットの値に関わらず、室内送風ファン９Ｂを強制運転させる制御を行う。すなわち、室内機１Ｂが運転中であれば室内送風ファン９Ｂの運転が継続され、室内機１Ｂが停止中であれば室内送風ファン９Ｂの運転が開始される。室内送風ファン９Ｂの運転は、例えば、マイコン５０Ｂの第１及び第２漏洩履歴ビットのいずれかが「１」に設定され続ける限り継続される。
【００４５】
室内機制御部３１Ｃは、マイコン５０Ｃの第３漏洩履歴ビット（すなわち、グループＢに属する室内機１Ｃに対応する漏洩履歴ビット）が「０」に設定されているときには、第１及び第２漏洩履歴ビット（すなわち、グループＢ以外に属する室内機１Ａ、１Ｂに対応する漏洩履歴ビット）の値に関わらず、室内機１Ｃの通常制御を行う。この状態の室内機１Ｃは、リモコン２０Ｃ等の操作に基づき通常の運転動作及び停止動作を行う。一方、マイコン５０Ｃの第３漏洩履歴ビットが「１」に設定されると、室内機制御部３１Ｃは、第１及び第２漏洩履歴ビットの値に関わらず、室内送風ファン９Ｃを強制運転させる制御を行う。すなわち、室内機１Ｃが運転中であれば室内送風ファン９Ｃの運転が継続され、室内機１Ｃが停止中であれば室内送風ファン９Ｃの運転が開始される。室内送風ファン９Ｃの運転は、例えば、マイコン５０Ｃの第３漏洩履歴ビットが「１」に設定され続ける限り継続される。
【００４６】
室外機制御部３２は、マイコン５２の第１〜第３漏洩履歴ビットがいずれも「０」に設定されているときには、室外機２の通常制御を行う。一方、マイコン５２の第１〜第３漏洩履歴ビットのいずれかが「１」に設定されると、室外機制御部３２は、例えば、圧縮機３を停止させる制御、又は圧縮機３の運転を禁止する制御を行う。これらの制御は、マイコン５２の第１〜第３漏洩履歴ビットのいずれかが「１」に設定され続ける限り継続される。
【００４７】
リモコン制御部３３Ａは、マイコン５３Ａの第１〜第３漏洩履歴ビットがいずれも「０」に設定されているときには、リモコン２０Ａの通常制御を行う。一方、マイコン５３Ａの第１〜第３漏洩履歴ビットのいずれかが「１」に設定されると、リモコン制御部３３Ａは、例えば、リモコン２０Ａに設けられた表示部に、異常種別又は処置方法を含む情報（例えば、「冷媒漏洩。サービスマンへ連絡」等の文字メッセージ、異常コード等）を表示する。このとき、リモコン制御部３３Ａは、第１〜第３漏洩履歴ビットのいずれが「１」に設定されたかに基づき、冷媒漏洩箇所の情報を表示部に表示してもよい。例えば、第１漏洩履歴ビットが「１」に設定された場合には、室内機１Ａで冷媒の漏洩が生じた旨の情報を表示し、第２漏洩履歴ビットが「１」に設定された場合には、室内機１Ｂで冷媒の漏洩が生じた旨の情報を表示し、第３漏洩履歴ビットが「１」に設定された場合には、室内機１Ｃで冷媒の漏洩が生じた旨の情報を表示する。これらの表示は、マイコン５３Ａの第１〜第３漏洩履歴ビットのいずれかが「１」に設定され続ける限り継続される。また、リモコン制御部３３Ａは、リモコン２０Ａに設けられた音声出力部に、異常種別、処置方法又は冷媒漏洩箇所を含む情報を音声で報知させるようにしてもよい。
【００４８】
リモコン制御部３３Ｂは、マイコン５３Ｂの第１〜第３漏洩履歴ビットがいずれも「０」に設定されているときには、リモコン２０Ｂの通常制御を行う。一方、マイコン５３Ｂの第１〜第３漏洩履歴ビットのいずれかが「１」に設定されると、リモコン制御部３３Ｂは、例えば、リモコン２０Ｂに設けられた表示部に、異常種別又は処置方法を含む情報を表示する。このとき、リモコン制御部３３Ｂは、第１〜第３漏洩履歴ビットのいずれが「１」に設定されたかに基づき、冷媒漏洩箇所の情報を表示部に表示してもよい。これらの表示は、マイコン５３Ｂの第１〜第３漏洩履歴ビットのいずれかが「１」に設定され続ける限り継続される。また、リモコン制御部３３Ｂは、リモコン２０Ｂに設けられた音声出力部に、異常種別、処置方法又は冷媒漏洩箇所を含む情報を音声で報知させるようにしてもよい。
【００４９】
リモコン制御部３３Ｃは、マイコン５３Ｃの第１〜第３漏洩履歴ビットがいずれも「０」に設定されているときには、リモコン２０Ｃの通常制御を行う。一方、マイコン５３Ｃの第１〜第３漏洩履歴ビットのいずれかが「１」に設定されると、リモコン制御部３３Ｃは、例えば、リモコン２０Ｃに設けられた表示部に、異常種別又は処置方法を含む情報を表示する。このとき、リモコン制御部３３Ｃは、第１〜第３漏洩履歴ビットのいずれが「１」に設定されたかに基づき、冷媒漏洩箇所の情報を表示部に表示してもよい。これらの表示は、マイコン５３Ｃの第１〜第３漏洩履歴ビットのいずれかが「１」に設定され続ける限り継続される。また、リモコン制御部３３Ｃは、リモコン２０Ｃに設けられた音声出力部に、異常種別、処置方法又は冷媒漏洩箇所を含む情報を音声で報知させるようにしてもよい。
【００５０】
このような構成において、図３に示すように室内機１Ａで冷媒の漏洩が生じた場合、室内機１Ａの冷媒検知手段９９Ａで冷媒の漏洩が検知される。冷媒検知手段９９Ａで冷媒の漏洩が検知されると、マイコン５１Ａは、漏洩履歴ビットを初期値「０」から「１」に不可逆に書き換える。マイコン５１Ａの漏洩履歴ビットが「１」に設定されると、マイコン５０Ａ、５０Ｂ、５０Ｃ、５２、５３Ａ、５３Ｂ、５３Ｃのそれぞれの第１漏洩履歴ビットも「０」から「１」に書き換えられる。これにより、室内機１Ａ、１ＢがグループＡに設定され、室内機１ＣがグループＢに設定されているものとすると、室内送風ファン９Ａ、９Ｂの強制運転、圧縮機３の停止、圧縮機３の運転禁止、リモコン２０Ａ、２０Ｂ、２０Ｃのそれぞれの表示部への情報表示等が行われる。室内機１Ｃは室内機１Ａとは別のグループに設定されているため、室内送風ファン９Ｃの強制運転は行われない。
【００５１】
室内機１Ｂで冷媒の漏洩が生じた場合、冷媒検知手段９９Ｂで冷媒の漏洩が検知される。冷媒検知手段９９Ｂで冷媒の漏洩が検知されると、マイコン５１Ｂは、漏洩履歴ビットを初期値「０」から「１」に不可逆に書き換える。マイコン５１Ｂの漏洩履歴ビットが「１」に設定されると、マイコン５０Ａ、５０Ｂ、５０Ｃ、５２、５３Ａ、５３Ｂ、５３Ｃのそれぞれの第２漏洩履歴ビットも「０」から「１」に書き換えられる。これにより、室内機１Ａ、１ＢがグループＡに設定され、室内機１ＣがグループＢに設定されているものとすると、室内送風ファン９Ａ、９Ｂの強制運転、圧縮機３の停止、圧縮機３の運転禁止、リモコン２０Ａ、２０Ｂ、２０Ｃのそれぞれの表示部への情報表示等が行われる。室内機１Ｃは室内機１Ｂとは別のグループに設定されているため、室内送風ファン９Ｃの強制運転は行われない。
【００５２】
室内機１Ｃで冷媒の漏洩が生じた場合、冷媒検知手段９９Ｃで冷媒の漏洩が検知される。冷媒検知手段９９Ｃで冷媒の漏洩が検知されると、マイコン５１Ｃは、漏洩履歴ビットを初期値「０」から「１」に不可逆に書き換える。マイコン５１Ｃの漏洩履歴ビットが「１」に設定されると、マイコン５０Ａ、５０Ｂ、５０Ｃ、５２、５３Ａ、５３Ｂ、５３Ｃのそれぞれの第３漏洩履歴ビットも「０」から「１」に書き換えられる。これにより、室内機１Ａ、１ＢがグループＡに設定され、室内機１ＣがグループＢに設定されているものとすると、室内送風ファン９Ｃの強制運転、圧縮機３の停止、圧縮機３の運転禁止、リモコン２０の表示部への情報表示等が行われる。室内機１Ａ、１Ｂは室内機１Ｃとは別のグループに設定されているため、室内送風ファン９Ａ、９Ｂの強制運転は行われない。
【００５３】
ユーザからの連絡を受けたサービスマンは、冷媒漏洩箇所の修理を行う際に、冷媒漏洩を検知した制御基板４１Ａ、４１Ｂ又は４１Ｃを新品に交換する。これは、冷媒漏洩箇所の修理を行っただけでは、マイコン５１Ａ、５１Ｂ又は５１Ｃの漏洩履歴ビットが「１」のまま維持されるため、空気調和装置の通常動作を行うことができないためである。冷媒検知手段９９Ａ、９９Ｂ、９９Ｃはそれぞれ制御基板４１Ａ、４１Ｂ、４１Ｃに着脱不能に接続されているため、制御基板４１Ａ、４１Ｂ又は４１Ｃが交換される際には、冷媒雰囲気に曝露された冷媒検知手段９９Ａ、９９Ｂ又は９９Ｃも交換される。
【００５４】
交換された制御基板４１Ａ、４１Ｂ又は４１Ｃに実装されているマイコン５１Ａ、５１Ｂ又は５１Ｃの漏洩履歴ビットは、初期値である「０」に設定されている。したがって、マイコン５０Ａ、５０Ｂ、５０Ｃ、５２、５３Ａ、５３Ｂ、５３Ｃのそれぞれの漏洩履歴ビットも「１」から「０」に書き換えられる。これにより、空気調和装置の通常動作が可能になる。
【００５５】
本実施の形態において、室内機１Ａで冷媒の漏洩が生じると、室内機１Ａの冷媒検知手段９９Ａで冷媒の漏洩が検知される。室内機１Ａで冷媒の漏洩が生じたという情報は、制御線を介して室内機制御部３１Ａから他の室内機制御部３１Ｂ、３１Ｃ、室外機制御部３２及びリモコン制御部３３Ａ、３３Ｂ、３３Ｃに伝達される。これにより、室内機１Ａで冷媒の漏洩が生じたという情報は、室内機制御部３１Ａだけでなく、他の室内機制御部３１Ｂ、３１Ｃ、室外機制御部３２及びリモコン制御部３３Ａ、３３Ｂ、３３Ｃにも共有される。室内機制御部３１Ａ、３１Ｂ、３１Ｃは、それぞれ室内機１Ａで冷媒の漏洩が生じたという情報とグループ設定の情報とに基づいて、室内送風ファン９Ａ、９Ｂ、９Ｃを強制運転させるか否かを判断する。室内機制御部３１Ａは、冷媒漏洩の生じたのが室内機１Ａ自身であり、当然ながら冷媒漏洩の生じた室内機が室内機１Ａと同じグループに属していることから、室内送風ファン９Ａを強制運転させる制御を行う。室内機制御部３１Ｂは、冷媒漏洩の生じた室内機１Ａが室内機１Ｂと同じグループに属していることから、室内送風ファン９Ｂを強制運転させる制御を行う。一方、室内機制御部３１Ｃは、冷媒漏洩の生じた室内機１Ａが室内機１Ｃとは別のグループに属していることから、室内送風ファン９Ｃを強制運転させる制御を行わず、通常の制御を行う。
【００５６】
なお、本実施の形態では、ある室内機で冷媒の漏洩が生じたという情報は、全ての室内機制御部３１Ａ、３１Ｂ、３１Ｃに共有されるが、これには限られない。ある室内機で冷媒の漏洩が生じたという情報は、当該室内機を制御する室内機制御部と、当該室内機と同じグループに属する室内機を制御する室内機制御部と、にのみ共有され、冷媒漏洩の生じた室内機とは別のグループに属する室内機を制御する室内機制御部には共有されないようにしてもよい。
【００５７】
また、本実施の形態では、冷媒漏洩の生じた室内機とは別のグループに属する室内機は、室内送風ファンを強制運転させる制御を行わずに通常の運転を行うが、これには限られない。冷媒漏洩の生じた室内機とは別のグループに属する室内機は、ユーザのリモコン操作を受け付けず、通常運転を行うことができないようにしてもよい。すなわち、冷媒漏洩の生じた室内機とは別のグループに属する室内機では、室内送風ファンの強制運転は行われないものの、ある室内機で冷媒が漏洩したという情報がリモコンの表示部に表示されることに加え、通常運転を行うことができなくなる。これにより、冷媒漏洩の生じていない室内空間にいるユーザ等にも冷媒漏洩が発生したことを知らせることができる。
【００５８】
以上のように本実施の形態では、図２に示すように室内機１Ａ、１Ｂ、１Ｃが設置されている場合、室内空間ａに設置された室内機１Ａで冷媒の漏洩が生じたときには、室内機１Ａとは別のグループに設定されている室内機１Ｂ、１Ｃの室内送風ファン９Ｂ、９Ｃを運転させないようにすることができる。室内機１Ｂ、１Ｃは室内空間ａとは別の室内空間ｂ、ｃに設置されているため、室内送風ファン９Ｂ、９Ｃの強制運転を行ったとしても、室内機１Ａで漏洩した冷媒を拡散させることはできない。したがって、本実施の形態によれば、漏洩した冷媒の拡散に寄与しない室内送風ファンの強制運転が行われるのを防ぐことができるため、不要な電力が消費されるのを防止することができる。
【００５９】
また、本実施の形態では、図３に示すように室内機１Ａ、１Ｂ、１Ｃが設置されている場合、室内空間ａに設置された室内機１Ａで冷媒の漏洩が生じたときには、冷媒の漏洩が生じた室内機１Ａとは別のグループに設定されている室内機１Ｃの室内送風ファン９Ｃを運転させないようにすることができる。室内機１Ｃは室内空間ａとは別の室内空間ｂに設置されているため、室内送風ファン９Ｃの強制運転を行ったとしても、室内機１Ａで漏洩した冷媒を拡散させることはできない。したがって、本実施の形態によれば、漏洩した冷媒の拡散に寄与しない室内送風ファンの強制運転が行われるのを防ぐことができるため、不要な電力が消費されるのを防止することができる。
【００６０】
また、室内機１Ａ、１Ｂ、１Ｃが図３又は図４に示すように設置されている場合において、複数台の室内機が設置される室内空間ａは、一般に床面積の大きい大空間である。このため、室内機１Ａで冷媒の漏洩が生じた場合に当該室内機１Ａの室内送風ファン９Ａのみを強制運転させたとしても、漏洩した冷媒を室内空間に拡散させるのに必要な風量が得られない場合がある。
【００６１】
これに対し、本実施の形態では、例えば室内機１Ａで冷媒の漏洩が生じた場合、冷媒の漏洩が生じた室内機１Ａの室内送風ファン９Ａだけでなく、室内機１Ａと同じグループに属する他の室内機の室内送風ファンも運転させることができる。これにより、室内空間の床面積が大きい場合であっても、漏洩した冷媒を室内空間に十分に拡散させることができる。したがって、万一、冷媒が漏洩したとしても、室内空間の冷媒濃度が局所的に高くなってしまうのを抑制することができる。このため、室内空間の冷媒濃度が許容値以上に高くなってしまうのを防ぐことができ、可燃性冷媒が用いられている場合であっても、室内空間に可燃濃度域が形成されるのを防ぐことができる。
【００６２】
また、本実施の形態では、室内機１Ａ、１Ｂ、１Ｃのいずれかで冷媒の漏洩が生じた場合、冷媒の漏洩が生じた室内機と同じグループに属する全ての室内機の室内送風ファンが運転を開始する。これにより、１つの室内空間に設置された１台又は複数台の室内機において通常動作とは異なる突然の運転開始動作が行われるため、冷媒の漏洩という異常が発生したことをより多くの人に知らせることができる。このため、窓を開ける等といった対応をより確実に実施することができる。
【００６３】
さらに、本実施の形態では、例えば室内機１Ａで冷媒が漏洩すると、冷媒検知手段９９Ａで冷媒の漏洩が検知され、冷媒の漏洩履歴が制御基板４１Ａの不揮発性メモリに不可逆に書き込まれる。冷媒の漏洩履歴をリセットするためには、制御基板４１Ａを漏洩履歴のない別の制御基板に交換する必要がある。制御基板４１Ａを交換する際には、着脱不能に接続された冷媒検知手段９９Ａも交換されることになる。したがって、冷媒雰囲気に曝露されて検知特性の変化した冷媒検知手段９９Ａが継続して用いられるのを防止できる。また、本実施の形態では、制御基板４１Ａが交換されない限り空気調和装置の運転を再開できないため、冷媒漏洩箇所の修理が行われていない空気調和装置の運転をヒューマンエラー又は故意により再開してしまうのを防ぐことができる。
【００６４】
本実施の形態に係る空気調和装置は、図１〜図５に示したようなシステム構成には限られない。以下、空気調和装置のシステム構成の変形例について説明する。
【００６５】
（変形例１）
図６は、本実施の形態の変形例１に係る空気調和装置の概略構成を示す冷媒回路図である。図６に示すように、本変形例に係る空気調和装置は、複数台の室外機２Ａ、２Ｂを有している。室外機２Ａ、２Ｂは、冷凍サイクル回路１０において互いに並列に設けられている。室外機２Ａには、圧縮機３Ａ、冷媒流路切替手段４Ａ、熱源側熱交換器５Ａ、室外送風ファン８Ａが収容されている。室外機２Ｂには、圧縮機３Ｂ、冷媒流路切替手段４Ｂ、熱源側熱交換器５Ｂ、室外送風ファン８Ｂが収容されている。図示は省略しているが、室外機２Ａ、２Ｂにそれぞれ設けられた室外機制御部は、室内機制御部３１Ａ、３１Ｂ、３１Ｃ及びリモコン制御部３３Ａ、３３Ｂ、３３Ｃと通信可能に接続されている。これ以外の構成は、図１〜図５に示した構成と同様である。本変形例によっても、図１〜図５に示した構成と同様の効果が得られる。
【００６６】
（変形例２）
図７は、本実施の形態の変形例２に係る空気調和装置の概略構成を示す冷媒回路図である。図７に示すように、本変形例に係る空気調和装置は、室内機１Ａ、１Ｂ、１Ｃの台数に対応した個数の減圧手段６Ａ、６Ｂ、６Ｃが室外機２に収容されている点で、図１〜図５に示した構成と異なっている。これ以外の構成は、図１〜図５に示した構成と同様である。本変形例によっても、図１〜図５に示した構成と同様の効果が得られる。
【００６７】
（変形例３）
図８は、本実施の形態の変形例３に係る空気調和装置の概略構成を示す冷媒回路図である。図８に示すように、本変形例に係る空気調和装置は、冷凍サイクル回路１０において室内機１Ａ、１Ｂ、１Ｃと室外機２との間に介在する分岐ユニット１１が設けられている点で図１〜図５に示した構成と異なっている。分岐ユニット１１は、例えば、建物の内部ではあるが室内空間とは別の空間である天井裏等の空間に配置される。分岐ユニット１１内では、室外機２からの冷媒配管が室内機１Ａ、１Ｂ、１Ｃのそれぞれに対応して分岐している。また、分岐ユニット１１内には、室内機１Ａ、１Ｂ、１Ｃの台数に対応した個数の減圧手段６Ａ、６Ｂ、６Ｃが収容されている。図示は省略しているが、分岐ユニット１１には、減圧手段６Ａ、６Ｂ、６Ｃを制御する制御部が設けられていてもよい。この制御部は、室内機制御部３１Ａ、３１Ｂ、３１Ｃ、室外機制御部３２及びリモコン制御部３３Ａ、３３Ｂ、３３Ｃと通信可能に接続される。これ以外の構成は、図１〜図５に示した構成と同様である。本変形例によっても、図１〜図５に示した構成と同様の効果が得られる。
【００６８】
（変形例４）
図９は、本実施の形態の変形例４に係る空気調和装置の概略構成を示す冷媒回路図である。図９に示すように、本変形例に係る空気調和装置は、複数台の室外機２Ａ、２Ｂを有する点で変形例３と異なっている。これ以外の構成は、変形例３の構成と同様である。本変形例によっても、図１〜図５に示した構成と同様の効果が得られる。
【００６９】
（変形例５）
図１０は、本実施の形態の変形例５に係る空気調和装置の概略構成を示す冷媒回路図である。図１０に示すように、本変形例に係る空気調和装置は、複数の冷凍サイクル回路１０Ａ、１０Ｂを有している。冷凍サイクル回路１０Ａ、１０Ｂには、同一の冷媒又は互いに異なる冷媒が充填されている。
【００７０】
冷凍サイクル回路１０Ａは、圧縮機３Ａ、冷媒流路切替手段４Ａ、熱源側熱交換器５Ａ、減圧手段６Ａ及び複数の負荷側熱交換器７Ａ、７Ｂ、７Ｃが冷媒配管を介して環状に接続された構成を有している。負荷側熱交換器７Ａ、７Ｂ、７Ｃは、冷凍サイクル回路１０Ａにおいて互いに並列に接続されている。室外機２Ａには、圧縮機３Ａ、冷媒流路切替手段４Ａ、熱源側熱交換器５Ａ及び減圧手段６Ａと、熱源側熱交換器５Ａに室外空気を供給する室外送風ファン８Ａと、が収容されている。室内機１Ａ、１Ｂ、１Ｃには、負荷側熱交換器７Ａ、７Ｂ、７Ｃと、負荷側熱交換器７Ａ、７Ｂ、７Ｃに空気を供給する室内送風ファン９Ａ、９Ｂ、９Ｃと、冷媒の漏洩を検知する冷媒検知手段９９Ａ、９９Ｂ、９９Ｃと、がそれぞれ収容されている。
【００７１】
冷凍サイクル回路１０Ｂは、圧縮機３Ｂ、冷媒流路切替手段４Ｂ、熱源側熱交換器５Ｂ、減圧手段６Ｂ及び複数の負荷側熱交換器７Ｄ、７Ｅ、７Ｆが冷媒配管を介して環状に接続された構成を有している。負荷側熱交換器７Ｄ、７Ｅ、７Ｆは、冷凍サイクル回路１０Ｂにおいて互いに並列に接続されている。室外機２Ｂには、圧縮機３Ｂ、冷媒流路切替手段４Ｂ、熱源側熱交換器５Ｂ及び減圧手段６Ｂと、熱源側熱交換器５Ｂに室外空気を供給する室外送風ファン８Ｂと、が収容されている。室内機１Ｄ、１Ｅ、１Ｆには、負荷側熱交換器７Ｄ、７Ｅ、７Ｆと、負荷側熱交換器７Ｄ、７Ｅ、７Ｆに空気を供給する室内送風ファン９Ｄ、９Ｅ、９Ｆと、冷媒の漏洩を検知する冷媒検知手段９９Ｄ、９９Ｅ、９９Ｆと、がそれぞれ収容されている。
【００７２】
室内機１Ａ、１Ｂ、１Ｃは、例えば、仕切りのない１つの室内空間に設置されている。室内機１Ｄ、１Ｅ、１Ｆは、上記室内空間とは別の１つの室内空間に設置されている。
【００７３】
図１１は、本変形例に係る空気調和装置の制御部３０の構成を示すブロック図である。図１１に示すように、本変形例では、冷凍サイクル回路１０Ａに接続された室内機１Ａ、１Ｂ、１Ｃと、冷凍サイクル回路１０Ｂに接続された室内機１Ｄ、１Ｅ、１Ｆとは、１つのリモコン２０を用いて操作されるようになっている。冷凍サイクル回路１０Ａは、室内機１Ａ、１Ｂ、１Ｃが同一の運転モードで動作する、いわゆる同時運転マルチ型の空気調和装置を構成する。冷凍サイクル回路１０Ａの運転パターンは、例えば、室内機１Ａ、１Ｂ、１Ｃがいずれも冷房運転を行う第１の運転パターンと、室内機１Ａ、１Ｂ、１Ｃがいずれも暖房運転を行う第２の運転パターンと、室内機１Ａ、１Ｂ、１Ｃがいずれも停止する第３の運転パターンと、のいずれかである。
【００７４】
また、冷凍サイクル回路１０Ｂは、室内機１Ｄ、１Ｅ、１Ｆが同一の運転モードで動作する同時運転マルチ型の空気調和装置を構成する。冷凍サイクル回路１０Ｂの運転パターンは、例えば、室内機１Ｄ、１Ｅ、１Ｆがいずれも冷房運転を行う第１の運転パターンと、室内機１Ｄ、１Ｅ、１Ｆがいずれも暖房運転を行う第２の運転パターンと、室内機１Ｄ、１Ｅ、１Ｆがいずれも停止する第３の運転パターンと、のいずれかである。ただし、冷凍サイクル回路１０Ａと冷凍サイクル回路１０Ｂとは、リモコン２０の操作により、互いに独立した運転パターンで運転できるようになっている。本変形例では１つのリモコン２０が設けられているが、冷凍サイクル回路１０Ａに接続された室内機１Ａ、１Ｂ、１Ｃに対する操作を受け付けるリモコンと、冷凍サイクル回路１０Ｂに接続された室内機１Ｄ、１Ｅ、１Ｆに対する操作を受け付けるリモコンと、がそれぞれ設けられていてもよい。
【００７５】
制御部３０は、室内機１Ａに搭載されて室内機１Ａを制御する室内機制御部３１Ａと、室内機１Ｂに搭載されて室内機１Ｂを制御する室内機制御部３１Ｂと、室内機１Ｃに搭載されて室内機１Ｃを制御する室内機制御部３１Ｃと、室外機２Ａに搭載されて室外機２Ａを制御する室外機制御部３２Ａと、室内機１Ｄに搭載されて室内機１Ｄを制御する室内機制御部３１Ｄと、室内機１Ｅに搭載されて室内機１Ｅを制御する室内機制御部３１Ｅと、室内機１Ｆに搭載されて室内機１Ｆを制御する室内機制御部３１Ｆと、室外機２Ｂに搭載されて室外機２Ｂを制御する室外機制御部３２Ｂと、リモコン２０に搭載されてリモコン２０を制御するリモコン制御部３３と、を有している。
【００７６】
室内機制御部３１Ａは、マイコン５０Ａが実装された制御基板４０Ａと、マイコン５１Ａ及び冷媒検知手段９９Ａが実装された制御基板４１Ａと、を有している。同様に、室内機制御部３１Ｂ、３１Ｃ、３１Ｄ、３１Ｅ、３１Ｆは、マイコン５０Ｂ、５０Ｃ、５０Ｄ、５０Ｅ、５０Ｆが実装された制御基板４０Ｂ、４０Ｃ、４０Ｄ、４０Ｅ、４０Ｆと、マイコン５１Ｂ、５１Ｃ、５１Ｄ、５１Ｅ、５１Ｆ及び冷媒検知手段９９Ｂ、９９Ｃ、９９Ｄ、９９Ｅ、９９Ｆが実装された制御基板４１Ｂ、４１Ｃ、４１Ｄ、４１Ｅ、４１Ｆと、をそれぞれ有している。
【００７７】
マイコン５１Ａ、５１Ｂ、５１Ｃ、５１Ｄ、５１Ｅ、５１Ｆは、書換え可能な不揮発性メモリを有している。この不揮発性メモリには、既に説明したような漏洩履歴ビット（漏洩履歴記憶領域の一例）が設けられている。
【００７８】
室外機制御部３２Ａは、マイコン５２Ａが実装された制御基板４２Ａを有している。室外機制御部３２Ｂは、マイコン５２Ｂが実装された制御基板４２Ｂを有している。
【００７９】
リモコン制御部３３は、マイコン５３が実装された制御基板４３を有している。
【００８０】
室内機制御部３１Ａ、３１Ｂ、３１Ｃ、３１Ｄ、３１Ｅ、３１Ｆ、室外機制御部３２Ａ、３２Ｂ及びリモコン制御部３３は、制御線を介して互いに通信可能に接続されている。
【００８１】
マイコン５１Ａの漏洩履歴ビットは、冷媒検知手段９９Ａで冷媒の漏洩を検知した場合に、「０」から「１」に書き換えられる。同様に、マイコン５１Ｂ、５１Ｃ、５１Ｄ、５１Ｅ、５１Ｆの漏洩履歴ビットは、冷媒検知手段９９Ｂ、９９Ｃ、９９Ｄ、９９Ｅ、９９Ｆで冷媒の漏洩を検知した場合に、それぞれ「０」から「１」に書き換えられる。マイコン５１Ａ、５１Ｂ、５１Ｃ、５１Ｄ、５１Ｅ、５１Ｆの漏洩履歴ビットは、いずれも「０」から「１」への一方向にのみ不可逆に書換え可能である。また、マイコン５１Ａ、５１Ｂ、５１Ｃ、５１Ｄ、５１Ｅ、５１Ｆの漏洩履歴ビットは、当該マイコン５１Ａ、５１Ｂ、５１Ｃ、５１Ｄ、５１Ｅ、５１Ｆへの電力供給の有無に関わらず維持される。
【００８２】
また、マイコン５０Ａ、５０Ｂ、５０Ｃ、５０Ｅ、５０Ｄ、５０Ｆ、５２Ａ、５２Ｂ、５３のそれぞれのメモリ（不揮発性メモリ又は揮発性メモリ）には、マイコン５１Ａの漏洩履歴ビットに対応する第１漏洩履歴ビットと、マイコン５１Ｂの漏洩履歴ビットに対応する第２漏洩履歴ビットと、マイコン５１Ｃの漏洩履歴ビットに対応する第３漏洩履歴ビットと、マイコン５１Ｄの漏洩履歴ビットに対応する第４漏洩履歴ビットと、マイコン５１Ｅの漏洩履歴ビットに対応する第５漏洩履歴ビットと、マイコン５１Ｆの漏洩履歴ビットに対応する第６漏洩履歴ビットと、が設けられている。マイコン５０Ａ、５０Ｂ、５０Ｃ、５０Ｅ、５０Ｄ、５０Ｆ、５２Ａ、５２Ｂ、５３のそれぞれの第１〜第６漏洩履歴ビットは、「０」又は「１」に設定可能であり、「０」及び「１」の間で双方向に書換え可能である。マイコン５０Ａ、５０Ｂ、５０Ｃ、５０Ｅ、５０Ｄ、５０Ｆ、５２Ａ、５２Ｂ、５３のそれぞれの第１漏洩履歴ビットの値は、通信により取得されるマイコン５１Ａの漏洩履歴ビットと同じ値に設定される。同様に、マイコン５０Ａ、５０Ｂ、５０Ｃ、５０Ｅ、５０Ｄ、５０Ｆ、５２Ａ、５２Ｂ、５３のそれぞれの第２〜第６漏洩履歴ビットの値は、通信により取得されるマイコン５１Ｂ、５１Ｃ、５１Ｄ、５１Ｅ、５１Ｆの漏洩履歴ビットと同じ値に設定される。マイコン５０Ａ、５０Ｂ、５０Ｃ、５０Ｅ、５０Ｄ、５０Ｆ、５２Ａ、５２Ｂ、５３のそれぞれの第１〜第６漏洩履歴ビットは、電力供給が遮断されて初期値（例えば「０」）に戻ったとしても、電力供給が再開されると再びマイコン５１Ａ、５１Ｂ、５１Ｃ、５１Ｄ、５１Ｅ、５１Ｆの漏洩履歴ビットと同じ値に設定される。
【００８３】
また、制御部３０は、同時運転マルチ型の空気調和装置を構成する室内機１Ａ、１Ｂ、１Ｃの組と、別の同時運転マルチ型の空気調和装置を構成する室内機１Ｄ、１Ｅ、１Ｆの組と、を１つ又は複数のグループに設定するようになっている。本例では、室内機１Ａ、１Ｂ、１Ｃの組が１つの室内空間に設置され、室内機１Ｄ、１Ｅ、１Ｆの組が別の１つの室内空間に設置されているため、室内機１Ａ、１Ｂ、１Ｃの組が例えばグループＡに設定され、室内機１Ｄ、１Ｅ、１Ｆの組が例えばグループＢに設定される。仮に、室内機１Ａ、１Ｂ、１Ｃ、１Ｄ、１Ｅ、１Ｆが全て１つの室内空間に設置されている場合には、室内機１Ａ、１Ｂ、１Ｃの組と室内機１Ｄ、１Ｅ、１Ｆの組とがいずれも１つのグループに設定されるようにしてもよい。
【００８４】
室内機制御部３１Ａは、マイコン５０Ａの第１〜第３漏洩履歴ビット（すなわち、グループＡに属する室内機１Ａ、１Ｂ、１Ｃに対応する漏洩履歴ビット）がいずれも「０」に設定されているときには、第４〜第６漏洩履歴ビット（すなわち、グループＡ以外に属する室内機１Ｄ、１Ｅ、１Ｆに対応する漏洩履歴ビット）の値に関わらず、室内機１Ａの通常制御を行う。この状態の室内機１Ａは、リモコン２０等の操作に基づき通常の運転動作及び停止動作を行う。一方、マイコン５０Ａの第１〜第３漏洩履歴ビットのいずれかが「１」に設定されると、室内機制御部３１Ａは、第４〜第６漏洩履歴ビットの値に関わらず、室内送風ファン９Ａを強制運転させる制御を行う。すなわち、室内機１Ａが運転中であれば室内送風ファン９Ａの運転が継続され、室内機１Ａが停止中であれば室内送風ファン９Ａの運転が開始される。室内送風ファン９Ａの運転は、例えば、マイコン５０Ａの第１〜第３漏洩履歴ビットのいずれかが「１」に設定され続ける限り継続される。
【００８５】
室内機制御部３１Ｂ、３１Ｃは、第１〜第３漏洩履歴ビットの値に基づき、室内機制御部３１Ａと同様の制御を行う。
【００８６】
室内機制御部３１Ｄは、マイコン５０Ｄの第４〜第６漏洩履歴ビット（すなわち、グループＢに属する室内機１Ｄ、１Ｅ、１Ｆに対応する漏洩履歴ビット）がいずれも「０」に設定されているときには、第１〜第３漏洩履歴ビット（すなわち、グループＢ以外に属する室内機１Ａ、１Ｂ、１Ｃに対応する漏洩履歴ビット）の値に関わらず、室内機１Ｄの通常制御を行う。この状態の室内機１Ｄは、リモコン２０等の操作に基づき通常の運転動作及び停止動作を行う。一方、マイコン５０Ｄの第４〜第６漏洩履歴ビットのいずれかが「１」に設定されると、室内機制御部３１Ｄは、第１〜第３漏洩履歴ビットの値に関わらず、室内送風ファン９Ｄを強制運転させる制御を行う。すなわち、室内機１Ｄが運転中であれば室内送風ファン９Ｄの運転が継続され、室内機１Ｄが停止中であれば室内送風ファン９Ｄの運転が開始される。室内送風ファン９Ｄの運転は、例えば、マイコン５０Ｄの第４〜第６漏洩履歴ビットのいずれかが「１」に設定され続ける限り継続される。
【００８７】
室内機制御部３１Ｅ、３１Ｆは、第４〜第６漏洩履歴ビットの値に基づき、室内機制御部３１Ｄと同様の制御を行う。
【００８８】
室外機制御部３２Ａは、マイコン５２Ａの第１〜第３漏洩履歴ビットがいずれも「０」に設定されているときには、第４〜第６漏洩履歴ビットの値に関わらず、室外機２Ａの通常制御を行う。一方、マイコン５２Ａの第１〜第３漏洩履歴ビットのいずれかが「１」に設定されると、室外機制御部３２Ａは、第４〜第６漏洩履歴ビットの値に関わらず、例えば、圧縮機３Ａを停止させる制御、又は圧縮機３Ａの運転を禁止する制御を行う。これらの制御は、マイコン５２Ａの第１〜第３漏洩履歴ビットのいずれかが「１」に設定され続ける限り継続される。
【００８９】
室外機制御部３２Ｂは、マイコン５２Ｂの第４〜第６漏洩履歴ビットがいずれも「０」に設定されているときには、第１〜第３漏洩履歴ビットの値に関わらず、室外機２Ｂの通常制御を行う。一方、マイコン５２Ｂの第４〜第６漏洩履歴ビットのいずれかが「１」に設定されると、室外機制御部３２Ｂは、第１〜第３漏洩履歴ビットの値に関わらず、例えば、圧縮機３Ｂを停止させる制御、又は圧縮機３Ｂの運転を禁止する制御を行う。これらの制御は、マイコン５２Ｂの第４〜第６漏洩履歴ビットのいずれかが「１」に設定され続ける限り継続される。
【００９０】
リモコン制御部３３は、マイコン５３の第１〜第６漏洩履歴ビットがいずれも「０」に設定されているときには、リモコン２０の通常制御を行う。一方、マイコン５３の第１〜第６漏洩履歴ビットのいずれかが「１」に設定されると、リモコン制御部３３は、例えば、リモコン２０に設けられた表示部に、異常種別、処置方法又は冷媒漏洩箇所を含む情報を表示する。これらの表示は、マイコン５３の第１〜第６漏洩履歴ビットのいずれかが「１」に設定され続ける限り継続される。また、リモコン制御部３３は、リモコン２０に設けられた音声出力部に、異常種別、処置方法又は冷媒漏洩箇所を含む情報を音声で報知させるようにしてもよい。リモコン制御部３３は、マイコン５３の第１〜第３漏洩履歴ビットのいずれかが「１」に設定された場合であっても、第４〜第６漏洩履歴ビットがいずれも「０」に設定されているときには、室内機１Ｄ、１Ｅ、１Ｆに対するユーザの操作を通常通りに受け付けてもよい。また、リモコン制御部３３は、マイコン５３の第４〜第６漏洩履歴ビットのいずれかが「１」に設定された場合であっても、第１〜第３漏洩履歴ビットがいずれも「０」に設定されているときには、室内機１Ａ、１Ｂ、１Ｃに対するユーザの操作を通常通りに受け付けてもよい。
【００９１】
このような構成において、例えば室内機１Ａで冷媒の漏洩が生じた場合、室内機１Ａの冷媒検知手段９９Ａで冷媒の漏洩が検知される。冷媒検知手段９９Ａで冷媒の漏洩が検知されると、マイコン５１Ａは、漏洩履歴ビットを初期値「０」から「１」に不可逆に書き換える。マイコン５１Ａの漏洩履歴ビットが「１」に設定されると、マイコン５０Ａ、５０Ｂ、５０Ｃ、５０Ｄ、５０Ｅ、５０Ｆ、５２Ａ、５２Ｂ、５３のそれぞれの第１漏洩履歴ビットも「０」から「１」に書き換えられる。これにより、室内送風ファン９Ａ、９Ｂ、９Ｃの強制運転、圧縮機３Ａの停止、圧縮機３Ａの運転禁止、リモコン２０の表示部への情報表示等が行われる。室内機１Ｄ、１Ｅ、１Ｆは室内機１Ａとは別のグループに設定されているため、室内送風ファン９Ｄ、９Ｅ、９Ｆの強制運転、圧縮機３Ｂの停止、圧縮機３Ｂの運転禁止等は行われない。
【００９２】
ユーザからの連絡を受けたサービスマンは、冷媒漏洩箇所の修理を行う際に、冷媒漏洩を検知した制御基板４１Ａを新品に交換する。これは、冷媒漏洩箇所の修理を行っただけでは、マイコン５１Ａの漏洩履歴ビットが「１」のまま維持されるため、空気調和装置のうちの冷凍サイクル回路１０Ａの通常動作を行うことができないためである。冷媒検知手段９９Ａは制御基板４１Ａに着脱不能に接続されているため、制御基板４１Ａを交換する際には冷媒検知手段９９Ａも交換される。
【００９３】
交換された制御基板４１Ａに実装されているマイコン５１Ａの漏洩履歴ビットは、初期値である「０」に設定されている。したがって、マイコン５０Ａ、５０Ｂ、５０Ｃ、５０Ｄ、５０Ｅ、５０Ｆ、５２Ａ、５２Ｂ、５３のそれぞれの第１漏洩履歴ビットも「１」から「０」に書き換えられる。これにより、冷凍サイクル回路１０Ａ、１０Ｂを含む空気調和装置全体の通常動作が可能になる。
【００９４】
本変形例では、複数台の室内機１Ａ、１Ｂ、１Ｃ、１Ｄ、１Ｅ、１Ｆのいずれかで冷媒の漏洩が生じた場合に、冷媒の漏洩が生じた室内機とは別のグループに設定されている室内機の室内送風ファンを運転させないようにすることができる。したがって、本変形例によれば、漏洩した冷媒の拡散に寄与しない室内送風ファンの強制運転が行われるのを防ぐことができるため、不要な電力が消費されるのを防止することができる。
【００９５】
また、本変形例では、複数台の室内機１Ａ、１Ｂ、１Ｃ、１Ｄ、１Ｅ、１Ｆのいずれかで冷媒の漏洩が生じた場合、冷媒の漏洩が生じた室内機だけでなく、冷媒の漏洩が生じた室内機と同じグループに属する全ての室内機の室内送風ファンを運転させることができる。これにより、室内空間の床面積が大きい場合であっても、漏洩した冷媒を室内空間に十分に拡散させることができる。したがって、万一、冷媒が漏洩したとしても、室内空間の冷媒濃度が局所的に高くなってしまうのを抑制することができる。このため、室内空間の冷媒濃度が許容値以上に高くなってしまうのを防ぐことができ、可燃性冷媒が用いられている場合であっても、室内空間に可燃濃度域が形成されるのを防ぐことができる。
【００９６】
また、本変形例では、室内機１Ａ、１Ｂ、１Ｃ、１Ｄ、１Ｅ、１Ｆのいずれかで冷媒の漏洩が生じた場合、冷媒の漏洩が生じた室内機と同じグループに属する全ての室内機の室内送風ファンが運転を開始する。これにより、１つの室内空間に設置された１台又は複数台の室内機において通常動作とは異なる突然の運転開始動作が行われるため、冷媒の漏洩という異常が発生したことをより多くの人に知らせることができる。このため、窓を開ける等といった対応をより確実に実施することができる。
【００９７】
（変形例６）
図１２は、本実施の形態の変形例６に係る空気調和装置の概略構成を示す冷媒回路図である。図１２に示すように、本変形例に係る空気調和装置は、室内機１Ａ、１Ｂ、１Ｃ、１Ｄ、１Ｅ、１Ｆにそれぞれ対応して減圧手段６Ａ、６Ｂ、６Ｃ、６Ｄ、６Ｅ、６Ｆが設けられている。減圧手段６Ａ、６Ｂ、６Ｃ、６Ｄ、６Ｅ、６Ｆは、室内機１Ａ、１Ｂ、１Ｃ、１Ｄ、１Ｅ、１Ｆにそれぞれ収容されている。室内機１Ａ、１Ｂ、１Ｃは、例えば、仕切りのない１つの室内空間に設置されている。室内機１Ｄ、１Ｅ、１Ｆは、上記室内空間とは別の１つの室内空間に設置されている。室内機１Ａ、１Ｂ、１ＣはグループＡに設定されており、室内機１Ｄ、１Ｅ、１ＦはグループＢに設定されている。
【００９８】
図１３は、本変形例に係る空気調和装置の制御部３０の構成を示すブロック図である。図１３に示すように、本変形例では、冷凍サイクル回路１０Ａに接続された室内機１Ａ、１Ｂ、１Ｃと、冷凍サイクル回路１０Ｂに接続された室内機１Ｄ、１Ｅ、１Ｆとは、それぞれリモコン２０Ａ、２０Ｂ、２０Ｃ、２０Ｄ、２０Ｅ、２０Ｆを用いて操作されるようになっている。
【００９９】
制御部３０は、室内機制御部３１Ａ、３１Ｂ、３１Ｃ、３１Ｄ、３１Ｅ、３１Ｆ、室外機制御部３２Ａ、３２Ｂに加えて、リモコン２０Ａに搭載されてリモコン２０Ａを制御するリモコン制御部３３Ａと、リモコン２０Ｂに搭載されてリモコン２０Ｂを制御するリモコン制御部３３Ｂと、リモコン２０Ｃに搭載されてリモコン２０Ｃを制御するリモコン制御部３３Ｃと、リモコン２０Ｄに搭載されてリモコン２０Ｄを制御するリモコン制御部３３Ｄと、リモコン２０Ｅに搭載されてリモコン２０Ｅを制御するリモコン制御部３３Ｅと、リモコン２０Ｆに搭載されてリモコン２０Ｆを制御するリモコン制御部３３Ｆと、を有している。
【０１００】
リモコン制御部３３Ａは、マイコン５３Ａが実装された制御基板４３Ａを有している。同様に、リモコン制御部３３Ｂ、３３Ｃ、３３Ｄ、３３Ｅ、３３Ｆは、マイコン５３Ｂ、５３Ｃ、５３Ｄ、５３Ｅ、５３Ｆが実装された制御基板４３Ｂ、４３Ｃ、４３Ｄ、４３Ｅ、４３Ｆをそれぞれ有している。
【０１０１】
また、室内機制御部３１Ａ、３１Ｂ、３１Ｃ、３１Ｄ、３１Ｅ、３１Ｆ、室外機制御部３２Ａ、３２Ｂ、リモコン制御部３３Ａ、３３Ｂ、３３Ｃ、３３Ｄ、３３Ｅ、３３Ｆは、１つの上位制御部３４に接続されている。上位制御部３４は、マイコン５４が実装された制御基板４４を有している。上位制御部３４は、室内機１Ａ、１Ｂ、１Ｃ、１Ｄ、１Ｅ、１Ｆを集中して管理する集中コントローラーとして機能する。すなわち、室内機１Ａ、１Ｂ、１Ｃ及び室外機２Ａと、室内機１Ｄ、１Ｅ、１Ｆ及び室外機２Ｂとは、１つの個別運転マルチ型の空気調和装置を構成している。
【０１０２】
マイコン５３Ａ、５３Ｂ、５３Ｃ、５３Ｄ、５３Ｅ、５３Ｆ、５４のそれぞれのメモリには、マイコン５０Ａ、５０Ｂ、５０Ｃ、５０Ｅ、５０Ｄ、５０Ｆ、５２Ａ、５２Ｂと同様に、マイコン５１Ａの漏洩履歴ビットに対応する第１漏洩履歴ビットと、マイコン５１Ｂの漏洩履歴ビットに対応する第２漏洩履歴ビットと、マイコン５１Ｃの漏洩履歴ビットに対応する第３漏洩履歴ビットと、マイコン５１Ｄの漏洩履歴ビットに対応する第４漏洩履歴ビットと、マイコン５１Ｅの漏洩履歴ビットに対応する第５漏洩履歴ビットと、マイコン５１Ｆの漏洩履歴ビットに対応する第６漏洩履歴ビットと、が設けられている。
【０１０３】
本変形例においても、複数台の室内機１Ａ、１Ｂ、１Ｃ、１Ｄ、１Ｅ、１Ｆのいずれかで冷媒の漏洩が生じた場合に、冷媒の漏洩が生じた室内機とは別のグループに設定されている室内機の室内送風ファンを運転させないようにすることができる。したがって、本変形例によれば、漏洩した冷媒の拡散に寄与しない室内送風ファンの強制運転が行われるのを防ぐことができるため、不要な電力が消費されるのを防止することができる。
【０１０４】
また、本変形例においても、複数台の室内機１Ａ、１Ｂ、１Ｃ、１Ｄ、１Ｅ、１Ｆのいずれかで冷媒の漏洩が生じた場合、冷媒の漏洩が生じた室内機だけでなく、冷媒の漏洩が生じた室内機と同じグループに属する全ての室内機の室内送風ファンを運転させることができる。これにより、室内空間の床面積が大きい場合であっても、漏洩した冷媒を室内空間に十分に拡散させることができる。したがって、万一、冷媒が漏洩したとしても、室内空間の冷媒濃度が局所的に高くなってしまうのを抑制することができる。このため、室内空間の冷媒濃度が許容値以上に高くなってしまうのを防ぐことができ、可燃性冷媒が用いられている場合であっても、室内空間に可燃濃度域が形成されるのを防ぐことができる。
【０１０５】
また、本変形例においても、室内機１Ａ、１Ｂ、１Ｃ、１Ｄ、１Ｅ、１Ｆのいずれかで冷媒の漏洩が生じた場合、冷媒の漏洩が生じた室内機と同じグループに属する全ての室内機の室内送風ファンが運転を開始する。これにより、１つの室内空間に設置された１台又は複数台の室内機において通常動作とは異なる突然の運転開始動作が行われるため、冷媒の漏洩という異常が発生したことをより多くの人に知らせることができる。このため、窓を開ける等といった対応をより確実に実施することができる。
【０１０６】
（変形例７）
図１４は、本実施の形態の変形例７に係る空気調和装置の概略構成を示す冷媒回路図である。図１５は、本変形例に係る空気調和装置における室内機１Ａ、１Ｂ、１Ｃの設置状態の一例を示す図である。図１４及び図１５に示すように、本変形例に係る空気調和装置は、床置形の室内機１Ａ、１Ｃと天井カセット形の室内機１Ｂとを有している。室内機１Ａ、１Ｂは１つの室内空間ａに設置され、室内機１Ｃは別の室内空間ｂに設置されている。室内機１Ａ、１ＢはグループＡに設定されており、室内機１ＣはグループＢに設定されている。床置形の室内機１Ａ、１Ｃには冷媒検知手段９９Ａ、９９Ｃが設けられているが、天井カセット形の室内機１Ｂには冷媒検知手段が設けられていない。
【０１０７】
このような構成において、図１５に示すように床置形の室内機１Ａで冷媒の漏洩が生じた場合、室内機１Ａの冷媒検知手段９９Ａで冷媒の漏洩が検知される。室内機１Ａで冷媒の漏洩が生じたという情報は、室内機１Ａの制御部だけでなく、他の室内機１Ｂ、１Ｃ等の制御部にも共有される。室内機１Ａ、１Ｂ、１Ｃの制御部は、室内機１Ａで冷媒の漏洩が生じたという情報とグループ設定の情報とに基づいて、室内送風ファン９Ａ、９Ｂ、９Ｃを強制運転させるか否かを判断する。室内機１Ａの制御部は、冷媒漏洩の生じたのが室内機１Ａ自身であることから、室内送風ファン９Ａを強制運転させる制御を行う。室内機１Ｂの制御部は、冷媒漏洩の生じた室内機１Ａが室内機１Ｂと同じグループＡに属していることから、室内送風ファン９Ｂを強制運転させる制御を行う。一方、室内機１Ｃの制御部は、冷媒漏洩の生じた室内機１Ａが室内機１Ｃとは別のグループに属していることから、室内送風ファン９Ｃを強制運転させる制御を行わず、通常の制御を行う。すなわち、室内機１Ａで冷媒の漏洩が生じた場合には、グループＡに属する全ての室内機１Ａ、１Ｂの室内送風ファン９Ａ、９Ｂの強制運転が行われ、グループＡ以外のグループに属する室内機１Ｃの室内送風ファン９Ｃの強制運転は行われない。したがって、漏洩した冷媒の拡散に寄与しない室内送風ファンの強制運転が行われるのを防ぐことができるため、不要な電力が消費されるのを防止することができる。
【０１０８】
同様に、室内機１Ｃで冷媒の漏洩が生じた場合には、グループＢに属する室内機１Ｃの室内送風ファン９Ｃの強制運転が行われ、グループＢ以外のグループに属する室内機１Ａ、１Ｂの室内送風ファン９Ａ、９Ｂの強制運転は行われない。
【０１０９】
これに対し、天井カセット形の室内機１Ｂで冷媒の漏洩が生じた場合には、室内機１Ｂでは冷媒の漏洩が検知されないため、室内機１Ｂと同じグループＡに属する室内機１Ａ、１Ｂの室内送風ファン９Ａ、９Ｂは必ずしも運転しない。しかしながら、天井カセット形の室内機１Ｂは床面からの高さが比較的高い位置に設置されるため、室内機１Ｂで冷媒の漏洩が生じたとしても、漏洩した冷媒は床面まで下降する間に拡散する。したがって、室内送風ファン９Ａ、９Ｂを運転するまでもなく、冷媒濃度が局所的に高くなるのを回避できる。このため、室内空間の冷媒濃度が許容値以上に高くなってしまうのを防ぐことができ、可燃性冷媒が用いられている場合であっても、室内空間に可燃濃度域が形成されるのを防ぐことができる。
【０１１０】
すなわち、本変形例のように、床置形の室内機と、床面からの高さが比較的高い位置に設置される天井カセット形、天井埋込形又は天吊形などの室内機と、が混在している場合、天井カセット形、天井埋込形又は天吊形などの室内機には、冷媒検知手段が設けられないようにしてもよい。これにより、室内空間の冷媒濃度が局所的に高くなってしまうのを防ぎつつ、空気調和装置のコストを削減することができる。
【０１１１】
以上説明したように、本実施の形態（変形例１〜７を含む）に係る空気調和装置（冷凍サイクル装置の一例）は、複数の負荷側熱交換器７Ａ、７Ｂ、７Ｃ、７Ｄ、７Ｅ、７Ｆを有する冷凍サイクル回路１０と、複数の負荷側熱交換器７Ａ、７Ｂ、７Ｃ、７Ｄ、７Ｅ、７Ｆをそれぞれ収容する複数の室内機１Ａ、１Ｂ、１Ｃ、１Ｄ、１Ｅ、１Ｆと、複数の室内機１Ａ、１Ｂ、１Ｃ、１Ｄ、１Ｅ、１Ｆを制御する制御部３０と、を備え、複数の室内機１Ａ、１Ｂ、１Ｃ、１Ｄ、１Ｅ、１Ｆのそれぞれは、室内送風ファン９Ａ、９Ｂ、９Ｃ、９Ｄ、９Ｅ、９Ｆを有しており、複数の室内機１Ａ、１Ｂ、１Ｃ、１Ｄ、１Ｅ、１Ｆのうち少なくとも１つ（例えば、全て）は、冷媒の漏洩を検知する冷媒検知手段９９Ａ、９９Ｂ、９９Ｃ、９９Ｄ、９９Ｅ、９９Ｆを備えており、制御部３０は、複数の室内機１Ａ、１Ｂ、１Ｃ、１Ｄ、１Ｅ、１Ｆを１つ又は複数のグループに設定するように構成されており、制御部３０は、複数の室内機１Ａ、１Ｂ、１Ｃ、１Ｄ、１Ｅ、１Ｆのいずれかが備える冷媒検知手段で冷媒の漏洩を検知した場合、冷媒の漏洩を検知した冷媒検知手段を備える室内機と同じグループに属する全ての室内機が有する室内送風ファンを運転させるように構成されているものである。
【０１１２】
また、本実施の形態に係る空気調和装置は、少なくとも１つの負荷側熱交換器をそれぞれ有する複数の冷凍サイクル回路１０Ａ、１０Ｂと、複数の冷凍サイクル回路１０Ａ、１０Ｂの負荷側熱交換器７Ａ、７Ｂ、７Ｃ、７Ｄ、７Ｅ、７Ｆをそれぞれ収容する複数の室内機１Ａ、１Ｂ、１Ｃ、１Ｄ、１Ｅ、１Ｆと、複数の室内機１Ａ、１Ｂ、１Ｃ、１Ｄ、１Ｅ、１Ｆを制御する制御部３０と、を備え、複数の室内機１Ａ、１Ｂ、１Ｃ、１Ｄ、１Ｅ、１Ｆのそれぞれは、室内送風ファン９Ａ、９Ｂ、９Ｃ、９Ｄ、９Ｅ、９Ｆを有しており、複数の室内機１Ａ、１Ｂ、１Ｃ、１Ｄ、１Ｅ、１Ｆのうち少なくとも１つ（例えば、全て）は、冷媒の漏洩を検知する冷媒検知手段９９Ａ、９９Ｂ、９９Ｃ、９９Ｄ、９９Ｅ、９９Ｆを備えており、制御部３０は、複数の室内機１Ａ、１Ｂ、１Ｃ、１Ｄ、１Ｅ、１Ｆを１つ又は複数のグループに設定するように構成されており、制御部３０は、複数の室内機１Ａ、１Ｂ、１Ｃ、１Ｄ、１Ｅ、１Ｆのいずれかが備える冷媒検知手段で冷媒の漏洩を検知した場合、冷媒の漏洩を検知した冷媒検知手段を備える室内機と同じグループに属する全ての室内機が有する室内送風ファンを運転させるように構成されているものである。
【０１１３】
これらの構成によれば、複数の室内機１Ａ、１Ｂ、１Ｃ、１Ｄ、１Ｅ、１Ｆのいずれかで冷媒の漏洩が生じた場合、冷媒の漏洩が生じた室内機とは別のグループに属する室内機の室内送風ファンを運転させないようにすることができる。したがって、漏洩した冷媒の拡散に寄与しない室内送風ファンの強制運転が行われるのを防ぐことができるため、不要な電力が消費されるのを防止することができる。
【０１１４】
また、これらの構成によれば、複数の室内機１Ａ、１Ｂ、１Ｃ、１Ｄ、１Ｅ、１Ｆのいずれかで冷媒の漏洩が生じた場合、冷媒の漏洩が生じた室内機の室内送風ファンだけでなく、当該室内機と同じグループに属する全ての室内機の室内送風ファンを運転させることができる。これにより、室内空間の床面積が大きい場合であっても、漏洩した冷媒を室内空間に十分に拡散させることができる。したがって、万一、冷媒が漏洩したとしても、室内空間の冷媒濃度が局所的に高くなってしまうのを抑制することができる。
【０１１５】
また、本実施の形態に係る空気調和装置において、複数の室内機１Ａ、１Ｂ、１Ｃ、１Ｄ、１Ｅ、１Ｆを１つ又は複数のグループに設定する操作が行われる操作部（例えば、リモコン２０、２０Ａ、２０Ｂ、２０Ｃ、２０Ｄ、２０Ｅ、２０Ｆ、又はディップスイッチ）をさらに備えるようにしてもよい。この構成によれば、複数の室内機１Ａ、１Ｂ、１Ｃ、１Ｄ、１Ｅ、１Ｆのグループ設定をユーザ等によって容易かつ適切に行うことができる。
【０１１６】
また、本実施の形態に係る空気調和装置において、制御部３０は、複数の室内機１Ａ、１Ｂ、１Ｃ、１Ｄ、１Ｅ、１Ｆをそれぞれ制御する複数の室内機制御部３１Ａ、３１Ｂ、３１Ｃ、３１Ｄ、３１Ｅ、３１Ｆを有しており、複数の室内機制御部３１Ａ、３１Ｂ、３１Ｃ、３１Ｄ、３１Ｅ、３１Ｆのうち少なくとも１つ（例えば、全て）は、冷媒検知手段９９Ａ、９９Ｂ、９９Ｃ、９９Ｄ、９９Ｅ、９９Ｆが着脱不能に接続される制御基板４１Ａ、４１Ｂ、４１Ｃ、４１Ｄ、４１Ｅ、４１Ｆと、制御基板４１Ａ、４１Ｂ、４１Ｃ、４１Ｄ、４１Ｅ、４１Ｆに備えられた不揮発性メモリと、を有しており、不揮発性メモリには、冷媒漏洩履歴のない状態を表す第１の情報（例えば、漏洩履歴ビットの「０」）と、冷媒漏洩履歴のある状態を表す第２の情報（例えば、漏洩履歴ビットの「１」）と、のいずれか一方を記憶する漏洩履歴記憶領域が設けられており、漏洩履歴記憶領域に記憶される情報は、第１の情報から第２の情報への一方向にのみ変更可能であり、制御部３０は、複数の室内機制御部３１Ａ、３１Ｂ、３１Ｃ、３１Ｄ、３１Ｅ、３１Ｆのうち少なくとも１つが備える冷媒検知手段で冷媒の漏洩を検知したときに、冷媒の漏洩を検知した室内機制御部の漏洩履歴記憶領域に記憶される情報を第１の情報から第２の情報に変更するように構成されていてもよい。
【０１１７】
また、本実施の形態に係る空気調和装置において、制御部３０は、複数の室内機制御部３１Ａ、３１Ｂ、３１Ｃ、３１Ｄ、３１Ｅ、３１Ｆの漏洩履歴記憶領域のうち少なくとも１つに記憶される情報が第１の情報から第２の情報に変更されたときに、当該漏洩履歴記憶領域に対応する室内機と同じグループに属する全ての室内機が有する室内送風ファンを運転させるように構成されていてもよい。
【０１１８】
その他の実施の形態．
本発明は、上記実施の形態に限らず種々の変形が可能である。
例えば、上記実施の形態では、マイコン５１Ａ、５１Ｂ、５１Ｃ、５１Ｄ、５１Ｅ、５１Ｆの不揮発性メモリに設けられる漏洩履歴記憶領域として漏洩履歴ビットを例示したが、これには限られない。不揮発性メモリには、例えば、２ビット以上の漏洩履歴記憶領域が設けられていてもよい。漏洩履歴記憶領域は、冷媒漏洩履歴のない状態を表す第１の情報と、冷媒漏洩履歴のある状態を表す第２の情報と、のいずれか一方を選択的に記憶する。また、漏洩履歴記憶領域に記憶される情報は、第１の情報から第２の情報への一方向にのみ変更可能である。マイコン５１Ａ、５１Ｂ、５１Ｃ、５１Ｄ、５１Ｅ、５１Ｆの漏洩履歴記憶領域に記憶される情報は、それぞれ冷媒検知手段９９Ａ、９９Ｂ、９９Ｃ、９９Ｄ、９９Ｅ、９９Ｆで冷媒の漏洩を検知した場合に、第１の情報から第２の情報に変更される。また、マイコン５０Ａ、５０Ｂ、５０Ｃ、５０Ｄ、５０Ｅ、５０Ｆ、５２、５２Ａ、５２Ｂ、５３、５３Ａ、５３Ｂ、５３Ｃ、５３Ｄ、５３Ｅ、５３Ｆ、５４等のそれぞれのメモリには、マイコン５１Ａ、５１Ｂ、５１Ｃ、５１Ｄ、５１Ｅ、５１Ｆのそれぞれの漏洩履歴記憶領域に対応する第１〜第６漏洩履歴記憶領域が設けられる。
【０１１９】
また、上記実施の形態では、冷凍サイクル装置として空気調和装置を例に挙げたが、本発明は、ヒートポンプ給湯機（例えば、特開２０１６−３７８３号公報に記載のヒートポンプ装置）、チラー、ショーケース等の他の冷凍サイクル装置にも適用可能である。
【０１２０】
また、上記実施の形態では、３台又は６台の室内機が接続された冷凍サイクル回路１０、１０Ａ、１０Ｂを例に挙げたが、冷凍サイクル回路１０、１０Ａ、１０Ｂに接続される室内機の台数は何台であってもよい。また、上記実施の形態では、１台又は２台の室外機が接続された冷凍サイクル回路１０、１０Ａ、１０Ｂを例に挙げたが、冷凍サイクル回路１０、１０Ａ、１０Ｂに接続される室外機の台数は何台であってもよい。また、上記実施の形態では、１つの冷凍サイクル回路１０、又は２つの冷凍サイクル回路１０Ａ、１０Ｂを備えた空気調和装置を例に挙げたが、冷凍サイクル回路の数はいくつであってもよい。
【０１２１】
また、上記実施の形態では、冷媒検知手段が室内機の筐体内部に設けられた構成を例に挙げたが、冷媒検知手段は、冷凍サイクル装置の制御部に接続されていれば、室内機の筐体外部に設けられていてもよい。例えば、冷媒検知手段は、室内空間に設けられていてもよいし、冷媒が空気よりも大きい密度を有することを考慮して、室内空間の床面近傍に設けられていてもよい。また、例えば２台の床置形室内機が設けられている場合、２台の床置形室内機の間の床面近傍に１つの冷媒検知手段が設けられていれば、両方の床置形室内機での冷媒の漏洩を検知することができる。さらに、変形例７で述べたように、床置形の室内機と、天井カセット形、天井埋込形又は天吊形などの室内機と、が混在している場合、天井カセット形、天井埋込形又は天吊形などの室内機には、冷媒検知手段が設けられないようにしてもよい。したがって、冷媒検知手段は、必ずしも全ての室内機に備えられている必要はない。
【０１２２】
また、上記実施の形態では、室内送風ファンが室内機の筐体内部に設けられた構成を例に挙げたが、室内送風ファンは、冷凍サイクル装置の制御部に接続されていれば、室内機の筐体外部に設けられていてもよい。
【０１２３】
また、上記実施の形態では、複数の室内機のいずれかが備える冷媒検知手段で冷媒の漏洩が検知された場合、冷媒の漏洩を検知した冷媒検知手段を備える室内機と同じグループに属する全ての室内機が有する室内送風ファンが運転する構成を例に挙げたが、この構成は室外機に適用することもできる。この場合の冷凍サイクル装置では、複数の室外機のそれぞれが送風ファンを有しており、複数の室外機のうち少なくとも１つ（例えば、全て）は冷媒検知手段を備えている。制御部は、複数の室外機を１つ又は複数のグループに設定するように構成されている。また、制御部は、複数の室外機のいずれかが備える冷媒検知手段で冷媒の漏洩を検知した場合、冷媒の漏洩を検知した冷媒検知手段を備える室外機と同じグループに属する全ての室外機が有する送風ファンを運転させるように構成されている。
【０１２４】
また、上記の各実施の形態や変形例は、互いに組み合わせて実施することが可能である。
【符号の説明】
【０１２５】
１Ａ、１Ｂ、１Ｃ、１Ｄ、１Ｅ、１Ｆ  室内機、２、２Ａ、２Ｂ  室外機、３、３Ａ、３Ｂ  圧縮機、４、４Ａ、４Ｂ  冷媒流路切替手段、５、５Ａ、５Ｂ  熱源側熱交換器、６Ａ、６Ｂ、６Ｃ、６Ｄ、６Ｅ、６Ｆ  減圧手段、７Ａ、７Ｂ、７Ｃ、７Ｄ、７Ｅ、７Ｆ  負荷側熱交換器、８、８Ａ、８Ｂ  室外送風ファン、９Ａ、９Ｂ、９Ｃ、９Ｄ、９Ｅ、９Ｆ  室内送風ファン、１０、１０Ａ、１０Ｂ  冷凍サイクル回路、１１  分岐ユニット、２０、２０Ａ、２０Ｂ、２０Ｃ、２０Ｄ、２０Ｅ、２０Ｆ  リモコン、３０  制御部、３１Ａ、３１Ｂ、３１Ｃ、３１Ｄ、３１Ｅ、３１Ｆ  室内機制御部、３２、３２Ａ、３２Ｂ  室外機制御部、３３、３３Ａ、３３Ｂ、３３Ｃ、３３Ｄ、３３Ｅ、３３Ｆ  リモコン制御部、３４  上位制御部、４０Ａ、４０Ｂ、４０Ｃ、４０Ｄ、４０Ｅ、４０Ｆ、４１Ａ、４１Ｂ、４１Ｃ、４１Ｄ、４１Ｅ、４１Ｆ、４２、４２Ａ、４２Ｂ、４３、４３Ａ、４３Ｂ、４３Ｃ、４３Ｄ、４３Ｅ、４３Ｆ、４４  制御基板、５０Ａ、５０Ｂ、５０Ｃ、５０Ｄ、５０Ｅ、５０Ｆ、５１Ａ、５１Ｂ、５１Ｃ、５１Ｄ、５１Ｅ、５１Ｆ、５２、５２Ａ、５２Ｂ、５３、５３Ａ、５３Ｂ、５３Ｃ、５３Ｄ、５３Ｅ、５３Ｆ、５４  マイコン、９９Ａ、９９Ｂ、９９Ｃ、９９Ｄ、９９Ｅ、９９Ｆ  冷媒検知手段。
【図１】
2017163321.tif 000003
【図２】
2017163321.tif 000004
【図３】
2017163321.tif 000005
【図４】
2017163321.tif 000006
【図５】
2017163321.tif 000007
【図６】
2017163321.tif 000008
【図７】
2017163321.tif 000009
【図８】
2017163321.tif 000010
【図９】
2017163321.tif 000011
【図１０】
2017163321.tif 000012
【図１１】
2017163321.tif 000013
【図１２】
2017163321.tif 000014
【図１３】
2017163321.tif 000015
【図１４】
2017163321.tif 000016
【図１５】
2017163321.tif 000017
【手続補正書】
【提出日】平成29年10月4日(2017.10.4)
【手続補正１】
【補正対象書類名】明細書
【補正対象項目名】０００７
【補正方法】変更
【補正の内容】
【０００７】
本発明に係る冷凍サイクル装置は、複数の負荷側熱交換器を有する冷凍サイクル回路と、前記複数の負荷側熱交換器をそれぞれ収容する複数の室内機と、前記複数の室内機を制御する制御部と、を備え、前記複数の室内機のそれぞれは、送風ファンを有しており、前記複数の室内機のうち少なくとも１つは、冷媒検知手段を備えており、前記制御部は、前記複数の室内機を１つ又は複数のグループに設定するように構成されており、前記制御部は、前記複数の室内機のいずれかが備える前記冷媒検知手段で冷媒を検知した場合、冷媒を検知した前記冷媒検知手段を備える室内機と同じグループに属する全ての室内機が有する前記送風ファンを運転させるように構成されており、前記制御部は、前記複数の室内機をそれぞれ制御する複数の室内機制御部を有しており、前記複数の室内機制御部のうち少なくとも１つは、前記冷媒検知手段が着脱不能に接続される制御基板と、前記制御基板に備えられた不揮発性メモリと、を有しており、前記不揮発性メモリには、冷媒漏洩履歴のない状態を表す第１の情報と、冷媒漏洩履歴のある状態を表す第２の情報と、のいずれか一方を記憶する漏洩履歴記憶領域が設けられており、前記漏洩履歴記憶領域に記憶される情報は、前記第１の情報から前記第２の情報への一方向にのみ変更可能であり、前記制御部は、前記複数の室内機制御部のうち少なくとも１つが備える前記冷媒検知手段で冷媒を検知したときに、冷媒を検知した前記室内機制御部の前記漏洩履歴記憶領域に記憶される情報を前記第１の情報から前記第２の情報に変更するように構成されているものである。
【手続補正２】
【補正対象書類名】特許請求の範囲
【補正対象項目名】全文
【補正方法】変更
【補正の内容】
【特許請求の範囲】
【請求項１】
複数の負荷側熱交換器を有する冷凍サイクル回路と、
前記複数の負荷側熱交換器をそれぞれ収容する複数の室内機と、
前記複数の室内機を制御する制御部と、を備え、
前記複数の室内機のそれぞれは、送風ファンを有しており、
前記複数の室内機のうち少なくとも１つは、冷媒検知手段を備えており、
前記制御部は、前記複数の室内機を１つ又は複数のグループに設定するように構成されており、
前記制御部は、前記複数の室内機のいずれかが備える前記冷媒検知手段で冷媒を検知した場合、冷媒を検知した前記冷媒検知手段を備える室内機と同じグループに属する全ての室内機が有する前記送風ファンを運転させるように構成されており、
前記制御部は、前記複数の室内機をそれぞれ制御する複数の室内機制御部を有しており、
前記複数の室内機制御部のうち少なくとも１つは、前記冷媒検知手段が着脱不能に接続される制御基板と、前記制御基板に備えられた不揮発性メモリと、を有しており、
前記不揮発性メモリには、冷媒漏洩履歴のない状態を表す第１の情報と、冷媒漏洩履歴のある状態を表す第２の情報と、のいずれか一方を記憶する漏洩履歴記憶領域が設けられており、
前記漏洩履歴記憶領域に記憶される情報は、前記第１の情報から前記第２の情報への一方向にのみ変更可能であり、
前記制御部は、前記複数の室内機制御部のうち少なくとも１つが備える前記冷媒検知手段で冷媒を検知したときに、冷媒を検知した前記室内機制御部の前記漏洩履歴記憶領域に記憶される情報を前記第１の情報から前記第２の情報に変更するように構成されている冷凍サイクル装置。
【請求項２】
少なくとも１つの負荷側熱交換器をそれぞれ有する複数の冷凍サイクル回路と、
前記複数の冷凍サイクル回路の前記負荷側熱交換器をそれぞれ収容する複数の室内機と、
前記複数の室内機を制御する制御部と、を備え、
前記複数の室内機のそれぞれは、送風ファンを有しており、
前記複数の室内機のうち少なくとも１つは、冷媒検知手段を備えており、
前記制御部は、前記複数の室内機を１つ又は複数のグループに設定するように構成されており、
前記制御部は、前記複数の室内機のいずれかが備える前記冷媒検知手段で冷媒を検知した場合、冷媒を検知した前記冷媒検知手段を備える室内機と同じグループに属する全ての室内機が有する前記送風ファンを運転させるように構成されており、
前記制御部は、前記複数の室内機をそれぞれ制御する複数の室内機制御部を有しており、
前記複数の室内機制御部のうち少なくとも１つは、前記冷媒検知手段が着脱不能に接続される制御基板と、前記制御基板に備えられた不揮発性メモリと、を有しており、
前記不揮発性メモリには、冷媒漏洩履歴のない状態を表す第１の情報と、冷媒漏洩履歴のある状態を表す第２の情報と、のいずれか一方を記憶する漏洩履歴記憶領域が設けられており、
前記漏洩履歴記憶領域に記憶される情報は、前記第１の情報から前記第２の情報への一方向にのみ変更可能であり、
前記制御部は、前記複数の室内機制御部のうち少なくとも１つが備える前記冷媒検知手段で冷媒を検知したときに、冷媒を検知した前記室内機制御部の前記漏洩履歴記憶領域に記憶される情報を前記第１の情報から前記第２の情報に変更するように構成されている冷凍サイクル装置。
【請求項３】
前記複数の室内機を前記１つ又は複数のグループに設定する操作が行われる操作部をさらに備える請求項１又は請求項２に記載の冷凍サイクル装置。
【請求項４】
前記制御部は、前記複数の室内機制御部のうち少なくとも１つの前記漏洩履歴記憶領域に記憶される情報が前記第１の情報から前記第２の情報に変更されたときに、当該漏洩履歴記憶領域に対応する室内機と同じグループに属する全ての室内機が有する前記送風ファンを運転させるように構成されている請求項１〜請求項３のいずれか一項に記載の冷凍サイクル装置。
【国際調査報告】
2017163321.tif 000018
2017163321.tif 000019